(57)【要約】【課題】  延伸時に表示装置の画質が低下することを防ぐストレッチャブル表示装置を提供する。【解決手段】  ストレッチャブル表示装置は、複数のサブ画素が定義され、互いに離隔された複数の第１領域、複数の第１領域のうち互いに隣り合う第１領域を連結する複数の連結配線が配置された複数の第２領域、及び複数の第１領域と複数の第２領域を除く領域である複数の第３領域を含む下部基板、複数の第３領域それぞれに配置された複数の追加サブ画素、及び複数の追加サブ画素それぞれと電気的に連結された複数の圧電パターンを含む。【選択図】図２
2020106832.tif 000002
【特許請求の範囲】
【請求項１】
複数のサブ画素が定義され、互いに離隔された複数の第１領域、前記複数の第１領域のうち互いに隣り合う第１領域を連結する複数の連結配線が配置された複数の第２領域、及び前記複数の第１領域と前記複数の第２領域を除く領域である複数の第３領域を含む下部基板と、
前記複数の第３領域それぞれに配置された複数の追加サブ画素と、
前記複数の追加サブ画素それぞれと電気的に連結された複数の圧電パターンとを含む、ストレッチャブル表示装置。
【請求項２】
前記複数の第１領域に配置され、前記複数のサブ画素が定義された複数のアイランド基板と、
前記複数のアイランド基板上で前記複数のサブ画素に配置された複数の発光素子と、
前記複数の追加サブ画素に配置された複数の追加発光素子とをさらに含み、
前記複数の発光素子は、
発光層と、
前記発光層と電気的に連結された第１電極と、
前記発光層と電気的に連結され、前記第１電極と離隔された第２電極とを含み、
前記複数の追加発光素子それぞれは、
追加発光層と、
前記追加発光層と電気的に連結された第１追加電極と、
前記追加発光層と電気的に連結され、前記第１追加電極と離隔された第２追加電極とを含み、
前記複数の圧電パターンは、前記複数の追加発光素子の第２追加電極と電気的に連結された、請求項１に記載のストレッチャブル表示装置。
【請求項３】
前記複数の発光素子のうち第１発光素子の第１電極と、前記複数の追加発光素子のうち第１追加発光素子の第１追加電極は、同一の電圧が印加されるように構成された、請求項２に記載のストレッチャブル表示装置。
【請求項４】
前記複数のアイランド基板のうち前記第１発光素子が配置されたアイランド基板に配置され、前記第１発光素子の第１電極及び前記第１追加発光素子の第１追加電極に同一電圧を印加する第１トランジスタをさらに含む、請求項３に記載のストレッチャブル表示装置。
【請求項５】
前記複数の発光素子と前記複数の追加発光素子は、独立して駆動されるように構成された、請求項２に記載のストレッチャブル表示装置。
【請求項６】
前記複数の発光素子のうち第１発光素子の第１電極に連結され、前記複数のアイランド基板のうち前記第１発光素子が配置されたアイランド基板に配置された第１トランジスタと、
前記複数の追加発光素子のうち第１追加発光素子の第１追加電極に連結され、前記第１トランジスタと同一のアイランド基板に配置された第２トランジスタとをさらに含む、請求項５に記載のストレッチャブル表示装置。
【請求項７】
前記複数の追加発光素子それぞれの第１追加電極と電気的に連結される複数の追加連結配線と、
前記複数の追加連結配線と前記下部基板との間に配置され、前記複数のアイランド基板と一体になされる複数の追加連結基板とをさらに含む、請求項２に記載のストレッチャブル表示装置。
【請求項８】
前記複数の追加連結基板に隣接するように配置され、前記複数の圧電パターンと前記複数の追加発光素子の第２追加電極を電気的に連結する複数の追加接続パターンをさらに含む、請求項７に記載のストレッチャブル表示装置。
【請求項９】
前記複数の追加連結配線と前記複数の追加連結基板との間に配置された追加絶縁層をさらに含む、請求項７に記載のストレッチャブル表示装置。
【請求項１０】
前記複数の追加サブ画素それぞれは、前記複数の連結配線の延長方向に対して傾斜するように配置された、請求項１に記載のストレッチャブル表示装置。
【請求項１１】
前記下部基板は、前記複数の第３領域に配置された溝をさらに含み、
前記複数の圧電パターンは、前記溝内に配置された、請求項１に記載のストレッチャブル表示装置。
【請求項１２】
前記複数の追加サブ画素に配置された強化層をさらに含み、
前記強化層は、前記追加発光素子と重畳された、請求項２に記載のストレッチャブル表示装置。
【請求項１３】
前記複数の圧電パターンは、前記下部基板と接する複数個の突出部を含む、請求項２に記載のストレッチャブル表示装置。
【請求項１４】
複数の発光素子が配置され、互いに離隔する複数の剛性基板と、
前記複数の剛性基板のうち互いに隣り合う剛性基板に配置されたパッドを電気的に連結する複数の連結配線と、
前記複数の剛性基板及び前記複数の連結配線の下に配置された下部基板と、
前記下部基板上で前記複数の剛性基板及び前記複数の連結配線と離隔されるように配置された複数の追加発光素子と、
前記複数の追加発光素子と電気的に連結され、前記下部基板の延伸により第１電圧を発生する複数の圧電パターンとを含み、
前記下部基板の延伸時に発生する格子感を最小化するように前記下部基板の延伸時、前記複数の圧電パターンからの前記第１電圧により前記複数の追加発光素子から光が発光される、ストレッチャブル表示装置。
【請求項１５】
前記下部基板の延伸により前記複数の圧電パターンに外力が加えられる場合、前記複数の圧電パターンから前記複数の追加発光素子に前記第１電圧が印加され、
前記複数の圧電パターンに加えられる外力が除去される場合、前記複数の圧電パターンは電気的にフローティング（ｆｌｏａｔｉｎｇ）される、請求項１４に記載のストレッチャブル表示装置。
【請求項１６】
前記複数の追加発光素子は、
複数の追加発光層と、
前記複数の追加発光層それぞれと電気的に連結された複数の第１追加電極と、
前記複数の追加発光層それぞれと電気的に連結され、前記複数の第１追加電極それぞれと離隔された複数の第２追加電極を含み、
前記複数の第２追加電極それぞれは、前記複数の圧電パターンそれぞれと電気的に連結された、請求項１４に記載のストレッチャブル表示装置。
【請求項１７】
前記複数の剛性基板上に配置され、前記複数の発光素子それぞれと電気的に連結された複数の第１トランジスタと、
前記複数の第１トランジスタと前記複数の追加発光素子の前記複数の第１追加電極を電気的に連結する複数の追加連結配線をさらに含む、請求項１６に記載のストレッチャブル表示装置。
【請求項１８】
前記複数の剛性基板上に配置され、前記複数の発光素子それぞれと電気的に連結された複数の第１トランジスタ；
前記複数の剛性基板上に配置された複数の第２トランジスタ；及び
前記複数の第２トランジスタと前記複数の追加発光素子の前記複数の第１追加電極を電気的に連結する複数の追加連結配線をさらに含む、請求項１６に記載のストレッチャブル表示装置。
【請求項１９】
前記複数の追加連結配線は、前記複数の連結配線に対して傾斜を有するように配置された、請求項１または１８に記載のストレッチャブル表示装置。
【請求項２０】
前記複数の圧電パターンの下面は、前記下部基板の下面と前記下部基板の上面との間に配置された、請求項１４に記載のストレッチャブル表示装置。
【発明の詳細な説明】
【技術分野】
【０００１】
本発明は、ストレッチャブル表示装置に関し、より詳細には、開口率が向上し、延伸時にも画質が補償されるストレッチャブル表示装置に関する。
【背景技術】
【０００２】
コンピュータのモニタやＴＶ、携帯電話等に使用される表示装置には、自ら光を発光する有機発光表示装置（Ｏｒｇａｎｉｃ  Ｌｉｇｈｔ  Ｅｍｉｔｔｉｎｇ  Ｄｉｓｐｌａｙ；ＯＬＥＤ）等と、別途の光源を要する液晶表示装置（Ｌｉｑｕｉｄ  Ｃｒｙｓｔａｌ  Ｄｉｓｐｌａｙ；ＬＣＤ）等がある。
【０００３】
表示装置は、コンピュータのモニタ及びＴＶだけではなく、個人携帯機器までその適用範囲が多様になっており、広い表示面積を有しながらも減少した体積及び重さを有する表示装置についての研究が進行している。
【０００４】
また、近年は、フレキシブル（ｆｌｅｘｉｂｌｅ）素材であるプラスチック等のように柔軟性のある基板に表示部、配線等を形成して、特定方向に伸縮が可能であり、様々な形状に変化可能に製造されるストレッチャブル表示装置が次世代の表示装置として注目を集めている。
【先行技術文献】
【特許文献】
【０００５】
【特許文献１】特開２０１８−０７７９８３
【発明の概要】
【発明が解決しようとする課題】
【０００６】
ストレッチャブル表示装置は、反ったり伸びたりしても画像表示が可能な表示装置と称され得る。ストレッチャブル表示装置は、従来の一般的な表示装置と比べて高いフレキシビリティを有し得る。そこで、ユーザがストレッチャブル表示装置を反るようにしたり伸びるようにしたりする等、ユーザの操作によってストレッチャブル表示装置の形状を自由に変更できる。例えば、ユーザがストレッチャブル表示装置の末端を持って引っ張る場合、ストレッチャブル表示装置は、ユーザの力により伸び得る。または、ユーザがストレッチャブル表示装置を平らでない壁面に配置させる場合、ストレッチャブル表示装置は、壁面の表面の形状に沿って反るように配置され得る。また、ユーザにより加えられる力が除去される場合、ストレッチャブル表示装置は、また本来の形態に戻ることができる。
【０００７】
このようなストレッチャブル表示装置は、剛性領域と延性領域とに分けられるように具現されている。具体的に、剛性領域は、表示素子が配置されて実際に発光する領域であり、延性領域は、ストレッチャブル表示装置に力を加えたとき、実際に延伸する領域である。
【０００８】
上述したように、ストレッチャブル表示装置を延伸する場合、ストレッチャブル表示装置全体が均一に延伸せず、実質的に延性領域だけが延伸し得る。従って、ストレッチャブル表示装置の延伸時、剛性領域間の距離が離れるようになり、それによって発光素子間の距離も離れる。従って、ストレッチャブル表示装置での発光領域の密度が減り、画像品質の低下が発生する。そこで、ストレッチャブル表示装置の延伸時にユーザが感じる格子感、即ち、複数の発光素子間の領域で輝度低下により視認される縞形状のムラはさらに深化する。併せて、ストレッチャブル表示装置の延伸時、延伸方向に画面伸びが発生してストレッチャブル表示装置で表示される映像の比率が歪む。
【０００９】
本発明の発明者らは、上述したようなストレッチャブル表示装置の延伸時の問題点を認識し、それを解決できる新たな構造のストレッチャブル表示装置を発明した。
【００１０】
本発明が解決しようとする課題は、下部基板上に複数の追加発光素子を配置することで、ストレッチャブル表示装置の延伸時、表示装置の画質が低下することを防ぐストレッチャブル表示装置を提供することである。
【００１１】
本発明が解決しようとする他の課題は、複数の発光素子間の延性領域上に複数の追加発光素子を配置し、ストレッチャブル表示装置の延伸時、格子状のムラが現れることを低減できるストレッチャブル表示装置を提供することである。
【００１２】
本発明が解決しようとするまた他の課題は、複数の発光素子間の延性領域上に複数の追加発光素子を配置し、ストレッチャブル表示装置の延伸時、ストレッチャブル表示装置で表示される映像の比率が歪むことを補償できるストレッチャブル表示装置を提供することである。
【００１３】
本発明の課題は、以上において言及した課題に制限されず、言及されていないまた他の課題は、下記の記載から当業者に明確に理解され得るだろう。
【課題を解決するための手段】
【００１４】
前述したような課題を解決するために、本発明の一実施例に係るストレッチャブル表示装置は、複数のサブ画素が定義され、互いに離隔された複数の第１領域、複数の第１領域のうち互いに隣り合う第１領域を連結する複数の連結配線が配置された複数の第２領域、及び複数の第１領域と複数の第２領域を除く領域である複数の第３領域を含む下部基板と、複数の第３領域それぞれに配置された複数の追加サブ画素と、複数の追加サブ画素それぞれと電気的に連結された複数の圧電パターンとを含む。そこで、ストレッチャブル表示装置の延伸時、表示装置の画質が低下することを最小化できる。
【００１５】
前述したような課題を解決するために、本発明の他の実施例に係るストレッチャブル表示装置は、複数の発光素子が配置され、互いに離隔する複数の剛性基板と、複数の剛性基板のうち互いに隣り合う剛性基板に配置されたパッドを電気的に連結する複数の連結配線と、複数の剛性基板及び複数の連結配線の下に配置された下部基板と、下部基板上で複数の剛性基板及び複数の連結配線と離隔されるように配置された複数の追加発光素子と、複数の追加発光素子と電気的に連結され、下部基板の延伸により第１電圧を発生する複数の圧電パターンとを含み、下部基板の延伸時に発生する格子感を最小化するように、下部基板の延伸時、複数の圧電パターンからの第１電圧により複数の追加発光素子から光が発光し得る。
その他の実施例の具体的な事項は、詳細な説明及び図面に含まれている。
【発明の効果】
【００１６】
本発明は、下部基板で複数のアイランド基板及び複数の連結配線が配置された領域を除く残りの領域に追加サブ画素を配置することで、効率よくストレッチャブル表示装置の面積を活用すると同時に開口率を増加させる効果がある。
【００１７】
本発明は、追加サブ画素を既存のサブ画素と互いに異なる回路部に連結させることで、それぞれのサブ画素が独立して駆動して解像度を増加させる効果がある。
【００１８】
本発明は、下部基板でダミー領域として機能していた領域に追加画素を配置することで、効率よく制限された面積を活用して発光領域の面積を増加させる効果がある。
【００１９】
本発明は、ストレッチャブル表示装置の延伸時に発光し得る複数の追加発光素子を複数の発光素子の間に配置し、ストレッチャブル表示装置の延伸時、複数の発光素子間の間隔が離れることで発生する輝度低下を補償する効果がある。
【００２０】
本発明は、複数のアイランド基板の間の延性領域上に複数の追加サブ画素を配置し、ストレッチャブル表示装置の延伸時、画面が歪み、格子感が発生することを最小化する効果がある。
【００２１】
本発明に係る効果は、以上において例示された内容により制限されず、さらに様々な効果が本明細書内に含まれている。
【図面の簡単な説明】
【００２２】
【図１】本発明の一実施例に係るストレッチャブル表示装置の分解斜視図である。
【図２】本発明の一実施例に係るストレッチャブル表示装置の拡大平面図である。
【図３】本発明の一実施例に係るストレッチャブル表示装置のサブ画素及び追加サブ画素についての概略的な断面図である。
【図４】本発明の他の実施例に係るストレッチャブル表示装置の拡大平面図である。
【図５】本発明の他の実施例に係るストレッチャブル表示装置のサブ画素及び追加サブ画素についての概略的な断面図である。
【図６】本発明のまた他の実施例に係るストレッチャブル表示装置の拡大平面図である。
【図７】本発明のまた他の実施例に係るストレッチャブル表示装置のサブ画素及び追加サブ画素についての概略的な断面図である。
【図８】本発明のまた他の実施例に係るストレッチャブル表示装置の拡大平面図である。
【図９】本発明のまた他の実施例に係るストレッチャブル表示装置の追加サブ画素についての概略的な断面図である。
【図１０ａ】本発明のまた他の実施例に係るストレッチャブル表示装置の概略的な工程図である。
【図１０ｂ】本発明のまた他の実施例に係るストレッチャブル表示装置の概略的な工程図である。
【図１１ａ】本発明のまた他の実施例に係る追加サブ画素についての概略的な平面図である。
【図１１ｂ】本発明のまた他の実施例に係る追加サブ画素についての概略的な平面図である。
【図１２ａ】本発明のまた他の実施例に係るストレッチャブル表示装置の追加サブ画素についての概略的な断面図である。
【図１２ｂ】本発明のまた他の実施例に係るストレッチャブル表示装置の追加サブ画素についての概略的な断面図である。
【発明を実施するための形態】
【００２３】
本発明の利点及び特徴、そして、それらを達成する方法は、添付の図面と共に詳細に後述されている実施例を参照すると、明確になるだろう。しかし、本発明は、以下において開示される実施例に限定されるものではなく、互いに異なる様々な形態で具現され、単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。
【００２４】
本発明の実施例を説明するための図面に開示された形状、大きさ、比率、角度、個数等は、例示的なものであるので、本発明は、図示された事項に限定されるものではない。また、本発明を説明するにあたって、関連した公知技術についての具体的な説明が本発明の要旨を不要に濁す恐れがあると判断される場合、その詳細な説明は省略する。本明細書上において言及された「含む」、「有する」、「なされる」等が使用される場合、「〜だけ」が使用されない以上、他の部分が加えられ得る。構成要素を単数で表現した場合、特に明示的な記載事項がない限り、複数を含む場合を含む。
【００２５】
構成要素を解釈するにあたって、別途の明示的な記載がなくても誤差範囲を含むものと解釈する。
【００２６】
位置関係についての説明である場合、例えば、「〜上に」、「〜上部に」、「〜下部に」、「〜隣に」等と二部分の位置関係が説明される場合、「すぐ」または「直接」が使用されない以上、二部分の間に一つ以上の他の部分が位置してもよい。
【００２７】
素子または層が異なる素子または層の上（ｏｎ）と称されるものは、他の素子のすぐ上または中間に他の層または他の素子を介在した場合をいずれも含む。
【００２８】
第１、第２等が様々な構成要素を述べるために使用されるが、これらの構成要素は、これらの用語により制限されない。これらの用語は、単に一つの構成要素を他の構成要素と区別するために使用するものである。従って、以下において言及される第１構成要素は、本発明の技術的思想内で第２構成要素であってもよい。
【００２９】
明細書全体にわたって、同じ参照符号は、同じ構成要素を指す。
【００３０】
図面で示された各構成の大きさ及び厚さは、説明の便宜のために示されたものであり、本発明は、示された構成の大きさ及び厚さに必ずしも限定されるものではない。
【００３１】
本発明の様々な実施例のそれぞれの特徴は、部分的または全体的に互いに結合または組み合わせ可能であり、当業者が十分に理解できるように技術的に多様な連動及び駆動が可能であり、各実施例が互いに対して独立して実施可能であっても、関連関係で共に実施可能であってもよい。
【００３２】
以下、添付の図面を参照して、本発明の様々な実施例を詳細に説明する。
【００３３】
図１は、本発明の第１の実施例に係る表示装置の分解斜視図である。図１を参照すると、ストレッチャブル表示装置１００は、下部基板１１０、複数のアイランド基板１１１、複数の連結基板ＣＳ、ＣＯＦ（Ｃｈｉｐ  ｏｎ  Ｆｉｌｍ）１７０、印刷回路基板１８０、上部基板１６０、及び偏光層１９０を含む。図１においては、説明の便宜のために、複数の追加連結基板ＣＳＡについての図示は省略した。
【００３４】
下部基板１１０は、ストレッチャブル表示装置１００の様々な構成要素を支持し、保護するための基板である。下部基板１１０は、延性基板であって、反ったり伸びたりすることのできる絶縁物質で構成され得る。例えば、下部基板１１０は、ポリジメチルシロキサン（ｐｏｌｙｄｉｍｅｔｈｙｌｓｉｌｏｘａｎｅ；ＰＤＭＳ）のようなシリコーンゴム（Ｓｉｌｉｃｏｎｅ  Ｒｕｂｂｅｒ）、ポリウレタン（ｐｏｌｙｕｒｅｔｈａｎｅ；ＰＵ）等の弾性重合体（ｅｌａｓｔｏｍｅｒ）からなり得、そこで、柔軟な性質を有することができる。しかし、下部基板１１０の材質は、これに制限されるものではない。
【００３５】
下部基板１１０は、延性基板であって、膨張及び収縮が可逆的に可能であり得る。また、弾性係数（ｅｌａｓｔｉｃ  ｍｏｄｕｌｕｓ）が数ＭＰａ〜数百ＭＰａであってよく、延伸破壊率が１００％以上であってよい。下部基板１１０の厚さは、１０μｍ〜１ｍｍであってよいが、これに制限されるものではない。
【００３６】
下部基板１１０は、表示領域ＡＡ及び表示領域ＡＡを囲む非表示領域ＮＡを含む。
【００３７】
表示領域ＡＡは、ストレッチャブル表示装置１００で映像が表示される領域であり、複数の発光素子１４０及び複数の発光素子１４０を駆動するための様々な駆動素子が配置される。
【００３８】
非表示領域ＮＡは、表示領域ＡＡに隣接した領域である。非表示領域ＮＡは、表示領域ＡＡに隣接して表示領域ＡＡを囲む領域である。非表示領域ＮＡは、映像が表示されない領域であり、配線及び回路部等が形成され得る。例えば、非表示領域ＮＡには、複数のパッドが配置され得、それぞれのパッドは、表示領域ＡＡの複数の発光素子１４０及び発光素子１４０を駆動するための駆動素子と連結され得る。
【００３９】
下部基板１１０上に複数のアイランド基板１１１が配置される。複数のアイランド基板１１１は、剛性基板であり、互いに離隔されて下部基板１１０上に配置される。複数のアイランド基板１１１は、下部基板１１０と比べて高剛性であってよい。即ち、下部基板１１０は、複数のアイランド基板１１１より延性特性を有し得、複数のアイランド基板１１１は、下部基板１１０より剛性特性を有し得る。
【００４０】
複数の剛性基板である複数のアイランド基板１１１は、フレキシビリティ（ｆｌｅｘｉｂｉｌｉｔｙ）を有するプラスチック物質からなり得、例えば、ポリイミド（ｐｏｌｙｉｍｉｄｅ；ＰＩ）、ポリアクリレート（ｐｏｌｙａｃｒｙｌａｔｅ）、ポリアセテート（ｐｏｌｙａｃｅｔａｔｅ）等からなってもよい。
【００４１】
複数のアイランド基板１１１のモジュラスは、下部基板１１０のモジュラスより高くてよい。モジュラスは、基板に加えられる応力により変形される比率を示す弾性係数であり、モジュラスが相対的に高い場合、硬度が相対的に高いことがある。従って、複数のアイランド基板１１１は、下部基板１１０と比べて剛性を有する複数の剛性基板であってよい。複数のアイランド基板１１１のモジュラスは、下部基板１１０のモジュラスより１０００倍以上大きくてよいが、これに制限されるものではない。
【００４２】
剛性特性を有する複数のアイランド基板１１１が下部基板１１０上に配置されることで、複数のアイランド基板１１１と重畳する下部基板１１０の一部の領域は、複数のアイランド基板１１１により剛性を有する剛性領域と定義され得る。そして、複数のアイランド基板１１１と重畳しない下部基板１１０の残りの領域は、下部基板１１０だけが配置されるので、延性を有する延性領域と定義され得る。即ち、複数のアイランド基板１１１が配置される領域は、複数の剛性領域であり、複数のアイランド基板１１１が配置されていない領域は、延性領域と定義され得る。このとき、複数のアイランド基板１１１は、互いに離隔されて配置されるので、複数の剛性領域もまた互いに離隔されて配置されるものと定義でき、延性領域は、複数の剛性領域を囲むものと定義できる。
【００４３】
このとき、いくつかの実施例において、下部基板１１０のうち剛性領域に配置された部分は、延性領域に配置された部分よりモジュラスが高くてよい。即ち、下部基板１１０のうちアイランド基板１１１と重畳された領域は、アイランド基板１１１と類似したモジュラスを有する物質からなり得、アイランド基板１１１と重畳しない領域は、アイランド基板１１１より低いモジュラスを有する物質からなり得る。
【００４４】
複数のアイランド基板１１１の間に複数の連結基板ＣＳを配置する。複数の連結基板ＣＳは、互いに隣接する複数のアイランド基板１１１を連結する基板である。複数の連結基板ＣＳは、複数のアイランド基板１１１と一体に形成され得るが、これに制限されない。
【００４５】
複数の連結基板ＣＳは、屈曲した形状を有する。例えば、図１に示されるように、複数の連結基板ＣＳは、正弦波状を有し得る。ただし、複数の連結基板ＣＳの形状は、これに制限されず、例えば、複数の連結基板ＣＳは、ジグザグ状に延びてもよく、複数のひし形状の基板が頂点で連結されて延びる等の様々な形状を有し得る。また、図１に示された複数の連結基板ＣＳの個数及び形状は、例示的なものであり、複数の連結基板ＣＳの個数及び形状は、設計によって多様に変更され得、これに制限されない。
【００４６】
ＣＯＦ１７０は、延性を有するベースフィルム１７１に各種の部品を配置したフィルムであり、表示領域ＡＡの複数の発光素子１４０及び複数の発光素子１４０を駆動するための様々な駆動素子に信号を供給するための部品である。ＣＯＦ１７０は、非表示領域ＮＡに配置された複数のパッドにボンディングされ得、パッドを通して電源電圧、データ電圧、ゲート電圧等を表示領域ＡＡの複数の発光素子１４０及び複数の発光素子１４０を駆動するための様々な駆動素子それぞれに供給する。ＣＯＦ１７０は、ベースフィルム１７１及び駆動ＩＣ１７２を含み、それ以外にも各種の部品が配置され得る。
【００４７】
ベースフィルム１７１は、ＣＯＦ１７０の駆動ＩＣ１７２を支持する層である。ベースフィルム１７１は、絶縁物質からなり得、例えば、フレキシビリティを有する絶縁物質からなり得る。
【００４８】
駆動ＩＣ１７２は、映像を表示するためのデータと、それを処理するための駆動信号を処理する部品である。図１においては、駆動ＩＣ１７２がＣＯＦ１７０方式で実装されるものと示したが、これに制限されず、駆動ＩＣ１７２は、ＣＯＧ（Ｃｈｉｐ  Ｏｎ  Ｇｌａｓｓ）、ＴＣＰ（Ｔａｐｅ  Ｃａｒｒｉｅｒ  Ｐａｃｋａｇｅ）等の方式で実装されてもよい。
【００４９】
印刷回路基板１８０には、ＩＣチップ、回路部等のような制御部が取り付けられ得る。また、印刷回路基板１８０には、メモリ、プロセッサ等も取り付けられ得る。印刷回路基板１８０は、複数の発光素子１４０を駆動するための信号を制御部から表示領域ＡＡに伝達する構成である。印刷回路基板１８０は、ＣＯＦ１７０と連結され、表示領域ＡＡの複数の発光素子１４０及び複数の発光素子１４０を駆動するための様々な駆動素子と電気的に連結され得る。
【００５０】
上部基板１６０は、下部基板１１０と重畳されてストレッチャブル表示装置１００の様々な構成要素を保護するための基板である。上部基板１６０は、延性基板であって、反ったり伸びたりすることのできる絶縁物質で構成され得る。例えば、上部基板１６０は、柔軟性を有する材料からなり得、下部基板１１０と同一の物質からなり得るが、これに制限されるものではない。
【００５１】
偏光層１９０は、ストレッチャブル表示装置１００の外光反射を抑制する構成であって、上部基板１６０と重畳されて上部基板１６０上に配置され得る。ただし、これに制限されず、偏光層１９０は、上部基板１６０の下部に配置されてもよく、ストレッチャブル表示装置１００の構成によって省略されることもある。
【００５２】
以下においては、本発明の第１の実施例に係るストレッチャブル表示装置１００についてのより詳細な説明のために図２乃至図３を共に参照する。
【００５３】
図２は、本発明の第１の実施例に係るストレッチャブル表示装置の拡大平面図である。図３は、本発明の第１の実施例に係るストレッチャブル表示装置のサブ画素及び追加サブ画素についての概略的な断面図である。
【００５４】
図２及び図３を参照すると、下部基板１１０は、複数のアイランド基板１１１が配置された複数の第１領域Ａ１、複数の連結配線１５０が配置された複数の第２領域Ａ２、及び複数の第１領域Ａ１と複数の第２領域Ａ２を除く残りの領域であって、複数の追加サブ画素ＳＰＸＡが定義された複数の第３領域Ａ３が定義される。
【００５５】
下部基板１１０の複数の第１領域Ａ１は、複数のアイランド基板１１１が配置される領域であり、剛性を有する領域であってよい。複数の第１領域Ａ１は、互いに離隔されて下部基板１１０上に定義される。例えば、複数の第１領域Ａ１は、図２に示されたように、下部基板１１０上でマトリックス形態に配置され得るが、これに制限されない。
【００５６】
図２を参照すると、複数の第１領域Ａ１の複数のアイランド基板１１１に複数のサブ画素ＳＰＸを含む複数の画素ＰＸが定義される。複数のサブ画素ＳＰＸそれぞれには、複数の発光素子１４０及び複数の発光素子１４０を駆動するための様々な駆動素子が配置され得、複数のサブ画素ＳＰＸそれぞれは、様々な配線と連結され得る。例えば、複数のサブ画素ＳＰＸそれぞれは、ゲート配線、データ配線、高電位電源配線、低電位電源配線、基準電圧配線、共通配線ＣＬ等のような様々な配線と連結され得る。
【００５７】
下部基板１１０は、複数の第１領域Ａ１と隣り合うように複数の第２領域Ａ２が定義される。複数の第２領域Ａ２は、互いに隣り合う２つの第１領域Ａ１の間に定義される。そこで、図２に示されたように、一つの第１領域Ａ１の上側、下側、左側及び右側には、複数の第２領域Ａ２が定義される。複数の第２領域Ａ２は、複数の連結配線１５０及び複数の連結基板ＣＳが配置される領域であり、延性を有する領域である。複数の第２領域Ａ２は、互いに離隔されて下部基板１１０上に定義される。例えば、複数の第２領域Ａ２は、図２に示されたように、下部基板１１０上でマトリックス形態に配置され得るが、これに制限されない。
【００５８】
下部基板１１０の複数の第２領域Ａ２に複数の連結配線１５０及び複数の連結基板ＣＳが配置される。複数の連結配線１５０は、複数の連結基板ＣＳ上に配置され、複数の連結配線１５０は、複数のアイランド基板１１１上のパッドを電気的に連結する。具体的に、複数の連結配線１５０は、複数のアイランド基板１１１のうち互いに隣り合うアイランド基板１１１に配置されたパッドを電気的に連結できる。複数の連結配線１５０は、複数のアイランド基板１１１が配置された複数の第１領域Ａ１の間の複数の第２領域Ａ２上に配置され、複数のアイランド基板１１１のパッドを電気的に連結できる。
【００５９】
一般的な表示装置の場合、複数のゲート配線、複数のデータ配線等のような様々な配線は、複数のサブ画素ＳＰＸの間で延びて配置され、一つの信号配線に複数のサブ画素ＳＰＸが連結される。そこで、一般的な表示装置の場合、ゲート配線、データ配線、高電位電源配線、基準電圧配線等のような様々な配線は、基板上で切れることなく表示装置の一側から他側へ延びる。
【００６０】
これとは異なり、本発明の第１の実施例に係るストレッチャブル表示装置１００の場合、金属物質からなるゲート配線、データ配線、高電位電源配線、低電位電源配線、基準電圧配線、共通配線ＣＬ等のような様々な配線は、複数のアイランド基板１１１上にのみ配置される。即ち、本発明の第１の実施例に係るストレッチャブル表示装置１００において、金属物質からなる様々な配線は、複数のアイランド基板１１１上にのみ配置され、下部基板１１０には接しないように配置され得る。そこで、金属物質からなる様々な配線は、複数のアイランド基板１１１に対応するようにパターニングされて不連続的に配置され得る。
【００６１】
本発明の第１の実施例に係るストレッチャブル表示装置１００においては、このような不連続的な複数のアイランド基板１１１上の配線を連結するために、互いに隣接する二つのアイランド基板１１１の間に複数の連結配線１５０が配置され得る。具体的に、複数の連結配線１５０は、互いに隣接する二つのアイランド基板１１１上のパッドそれぞれに連結される。そして、複数の連結配線１５０により互いに隣接する二つのアイランド基板１１１上のゲート配線、データ配線、高電位電源配線、低電位電源配線、基準電圧配線、共通配線ＣＬ等のような様々な配線が電気的に連結され得る。
【００６２】
例えば、Ｘ軸方向に隣接して配置された複数のアイランド基板１１１上には、ゲート配線が配置され得、ゲート配線の両末端には、ゲートパッドＧＰが配置され得る。このとき、Ｘ軸方向に隣接して配置された複数のアイランド基板１１１上の複数のゲートパッドＧＰそれぞれは、ゲート配線として機能する複数の連結配線１５０により互いに連結され得る。そこで、第１領域Ａ１の複数のアイランド基板１１１上に配置されたゲート配線と、第２領域Ａ２上に配置された複数の連結配線１５０が一つのゲート配線として機能し得る。また、データ配線、高電位電源配線、低電位電源配線、基準電圧配線、共通配線ＣＬ等のようにストレッチャブル表示装置１００に含まれ得る全ての様々な配線もまた上述したように複数の連結配線１５０により一つの配線として機能し得る。
【００６３】
複数の連結配線１５０は、複数の連結基板ＣＳ上に配置される。図１を参照して上述したように、複数の連結基板ＣＳは、屈曲した形状を有する。それゆえ、複数の連結基板ＣＳ上に配置された複数の連結配線１５０もまた複数の連結基板ＣＳのような屈曲した形状を有し得る。
【００６４】
複数の連結配線１５０は、導電性物質からなり得る。連結配線１５０は、複数のアイランド基板上に配置された様々な導電性構成要素と同一の物質からなり得、例えば、金属物質からなり得るが、これに制限されず、ベースポリマー及びベースポリマーに分散された伝導性粒子を含むこともできる。
【００６５】
図２を参照すると、複数の連結配線１５０は、複数の第１連結配線１５１及び複数の第２連結配線１５２を含む。
【００６６】
複数の第１連結配線１５１は、複数の連結配線１５０のうちＸ軸方向に延びる配線である。複数の第１連結配線１５１は、Ｘ軸方向に隣接して配置された複数のアイランド基板１１１のうち互いに隣り合う二つのアイランド基板１１１上のパッドを互いに連結できる。複数の第１連結配線１５１は、ゲート配線または低電位電源配線等として機能し得るが、これに制限されることはない。例えば、複数の第１連結配線１５１がゲート配線として機能する場合、Ｘ軸方向に並んで配置された二つのアイランド基板１１１上のゲートパッドＧＰを電気的に連結できる。
【００６７】
複数の第２連結配線１５２は、複数の連結配線１５０のうちＹ軸方向に延びる配線である。複数の第２連結配線１５２は、Ｙ軸方向に隣接して配置された複数のアイランド基板１１１のうち互いに隣り合う二つのアイランド基板１１１上のパッドを互いに連結できる。複数の第２連結配線１５２は、データ配線または高電位電源配線等として機能し得るが、これに制限されることはない。例えば、複数の第２連結配線１５２がデータ配線として機能する場合、Ｙ軸方向に並んで配置された二つのアイランド基板１１１上のデータパッドを電気的に連結できる。
【００６８】
図２を参照すると、下部基板１１０は、複数の第１領域Ａ１と複数の第２領域Ａ２により囲まれた部分に複数の第３領域Ａ３が定義される。複数の第３領域Ａ３それぞれの上側、下側、右側及び左側には、第２領域Ａ２が配置され、４個の対角線方向に隣接するように第１領域Ａ１が配置されるものと定義できる。
【００６９】
下部基板１１０の複数の第３領域Ａ３に複数の追加サブ画素ＳＰＸＡを含む複数の追加画素ＰＸＡが定義される。複数の追加サブ画素ＳＰＸＡそれぞれには、複数の追加発光素子１４０Ａが配置され得、複数の追加サブ画素ＳＰＸＡそれぞれは、複数の追加連結配線１５０Ａと連結され得る。
【００７０】
複数のアイランド基板１１１から複数の追加サブ画素ＳＰＸＡそれぞれに延びた複数の追加連結基板ＣＳＡが配置される。複数の追加連結基板ＣＳＡは、複数の第１領域Ａ１から複数の第３領域Ａ３側に延びて配置され得る。複数の追加連結基板ＣＳＡは、複数のアイランド基板１１１と複数の追加サブ画素ＳＰＸＡを連結する基板である。複数の追加連結基板ＣＳＡは、複数のアイランド基板１１１と一体に形成され得るが、これに制限されない。
【００７１】
一方、図３を参照すると、複数の追加連結基板ＣＳＡは、複数の連結基板ＣＳと同一平面上に配置される。複数の追加連結基板ＣＳＡは、複数の連結基板ＣＳと同一平面上に配置されるため、複数の追加連結基板ＣＳＡ上の複数の追加連結配線１５０Ａと複数の連結基板ＣＳ上の複数の連結配線１５０もまた同一平面上に配置され得る。そして、複数の追加連結基板ＣＳＡと複数の連結基板ＣＳは、互いに重畳せず、離隔されるように配置され得る。仮に、複数の追加連結基板ＣＳＡと複数の連結基板ＣＳが互いに接する場合、複数の追加連結基板ＣＳＡ上の複数の追加連結配線１５０Ａと複数の連結基板ＣＳ上の複数の連結配線１５０もまた互いに接し得、これは、ストレッチャブル表示装置１００の信頼性の低下につながり得る。そこで、複数の追加連結基板ＣＳＡと複数の連結基板ＣＳは、同一平面上で互いに離隔して配置され得る。
【００７２】
複数の追加連結基板ＣＳＡは、屈曲した形状を有する。例えば、複数の追加連結基板ＣＳＡは、複数の連結基板ＣＳのように正弦波状を有し得る。ただし、複数の追加連結基板ＣＳＡの形状は、これに制限されない。例えば、複数の追加連結基板ＣＳＡは、ジグザグ状に延びてもよく、複数のひし形状の基板が頂点で連結されて延びる等の様々な形状を有し得る。
【００７３】
複数の追加連結基板ＣＳＡ上に複数の追加連結配線１５０Ａが配置される。複数の追加連結配線１５０Ａは、複数の追加サブ画素ＳＰＸＡと複数のサブ画素ＳＰＸそれぞれを電気的に連結させることができる。例えば、複数の追加連結配線１５０Ａは、複数のサブ画素ＳＰＸそれぞれの駆動素子と複数の追加サブ画素ＳＰＸＡの追加発光素子１４０Ａを電気的に連結させることができる。複数の追加連結配線１５０Ａは、複数のサブ画素ＳＰＸそれぞれの電圧を複数の追加サブ画素ＳＰＸＡそれぞれに伝達できる。
【００７４】
複数の追加サブ画素ＳＰＸＡそれぞれは、複数の連結配線１５０の延長方向に対して傾斜するように配置される。そして、複数のアイランド基板１１１から複数の追加サブ画素ＳＰＸＡ側に延びた追加連結基板ＣＳＡ及び追加連結配線１５０Ａもまた複数の連結配線１５０の延長方向に対して傾斜するように配置され得る。
【００７５】
延性領域に該当する第３領域Ａ３の場合、ストレッチャブル表示装置１００の延伸時に延伸し得る。そこで、第３領域Ａ３上に配置された複数の追加連結配線１５０Ａ及び複数の追加連結基板ＣＳＡには、ストレッチャブル表示装置１００の延伸による外力が加えられ得る。例えば、ストレッチャブル表示装置１００を複数の第１連結配線１５１が延びたＸ軸方向に延伸する場合、複数の追加連結配線１５０Ａ及び複数の追加連結基板ＣＳＡには、Ｘ軸方向に延伸するように外力が加えられ得る。ただし、複数の追加連結配線１５０Ａ及び複数の追加連結基板ＣＳＡは、Ｘ軸方向に対して傾斜を有するように配置されるため、複数の追加連結配線１５０Ａ及び複数の追加連結基板ＣＳＡに加えられる外力が分散され得る。また、ストレッチャブル表示装置１００を複数の第２連結配線１５２が延びたＹ軸方向に延伸する場合、複数の追加連結配線１５０Ａ及び複数の追加連結基板ＣＳＡには、Ｙ軸方向に延伸するように外力が加えられ得る。ただし、複数の追加連結配線１５０Ａ及び複数の追加連結基板ＣＳＡは、Ｙ軸方向に対して傾斜を有するように配置されるため、複数の追加連結配線１５０Ａ及び複数の追加連結基板ＣＳＡに加えられる外力が分散され得る。即ち、複数の追加連結配線１５０Ａ及び複数の追加連結基板ＣＳＡをＸ軸方向及びＹ軸方向に対して傾斜を有するように配置させ、ストレッチャブル表示装置１００の延伸時、複数の追加連結配線１５０Ａ及び複数の追加連結基板ＣＳＡに加えられる外力を減少でき、複数の追加連結配線１５０Ａ及び複数の追加連結基板ＣＳＡの損傷を低減できる。
【００７６】
以下においては、図３を共に参照して、複数のサブ画素ＳＰＸと複数の追加サブ画素ＳＰＸＡについてより詳細に説明する。
【００７７】
図３を参照すると、複数のアイランド基板１１１上にバッファ層１１２が配置される。バッファ層１１２は、下部基板１１０及び複数のアイランド基板１１１の外部から水分及び酸素等の浸透からストレッチャブル表示装置１００の様々な構成要素を保護するために複数のアイランド基板１１１上に配置される。バッファ層１１２は、絶縁物質で構成され得、例えば、シリコン窒化物（ＳｉＮｘ）、シリコン酸化物（ＳｉＯｘ）、シリコン酸化窒化物（ＳｉＯＮ）等からなる無機層の単層または複層で構成され得る。ただし、バッファ層１１２は、ストレッチャブル表示装置１００の構造や特性によって省略されることもある。
【００７８】
バッファ層１１２は、複数のアイランド基板１１１と重畳される領域にのみ配置され得る。上述したように、バッファ層１１２は、無機物からなり得るので、ストレッチャブル表示装置１００を延伸する過程で容易にクラック（ｃｒａｃｋ）が発生してしまう等、損傷し得る。そこで、バッファ層１１２は、複数のアイランド基板１１１の間の領域には配置されず、複数のアイランド基板１１１の形状にパターニングされて複数のアイランド基板１１１上にのみ配置され得る。そこで、本発明の第１の実施例に係るストレッチャブル表示装置１００は、バッファ層１１２を剛性基板である複数のアイランド基板１１１と重畳される領域にのみ配置し、ストレッチャブル表示装置１００が反ったり伸びたりする等、変形される場合にもバッファ層１１２の損傷を防止できる。
【００７９】
バッファ層１１２上に第１ゲート電極１２２、第１アクティブ層１２１、第１ソース電極１２３、及び第１ドレイン電極１２４を含む第１トランジスタ１２０が配置される。
【００８０】
まず、バッファ層１１２上には、第１アクティブ層１２１が配置される。例えば、第１アクティブ層は、酸化物半導体で形成されてもよく、非晶質シリコン（ａｍｏｒｐｈｏｕｓ  ｓｉｌｉｃｏｎ、ａ−Ｓｉ）、多結晶シリコン（ｐｏｌｙｃｒｙｓｔａｌｌｉｎｅ  ｓｉｌｉｃｏｎ、ｐｏｌｙ−Ｓｉ）、または有機物（ｏｒｇａｎｉｃ）半導体等で形成され得る。
【００８１】
第１アクティブ層１２１上には、ゲート絶縁層１１３が配置される。ゲート絶縁層１１３は、第１ゲート電極１２２と第１アクティブ層１２１を電気的に絶縁させるための層であり、絶縁物質からなり得る。例えば、ゲート絶縁層１１３は、無機物である窒化シリコン（ＳｉＮｘ）または酸化シリコン（ＳｉＯｘ）の単一層、あるいは窒化シリコン（ＳｉＮｘ）または酸化シリコン（ＳｉＯｘ）の多重層に構成され得るが、これに制限されるものではない。
【００８２】
バッファ層１１２上には、第１ゲート電極１２２が配置される。第１ゲート電極１２２は、第１アクティブ層１２１と重畳するように配置される。第１ゲート電極１２２は、様々な金属物質、例えば、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）、及び銅（Ｃｕ）のいずれか一つであるか二以上の合金、またはこれらの多重層であってよいが、これに制限されるものではない。
【００８３】
第１ゲート電極１２２上には、層間絶縁層１１４が配置される。層間絶縁層１１４は、第１ゲート電極１２２と第１ソース電極１２３及び第１ドレイン電極１２４を絶縁させるための層であり、バッファ層１１２と同様に無機物からなり得る。例えば、層間絶縁層１１４は、無機物である窒化シリコン（ＳｉＮｘ）または酸化シリコン（ＳｉＯｘ）の単一層、あるいは窒化シリコン（ＳｉＮｘ）または酸化シリコン（ＳｉＯｘ）の多重層に構成され得るが、これに制限されるものではない。
【００８４】
層間絶縁層１１４上には、第１アクティブ層１２１とそれぞれ接する第１ソース電極１２３及び第１ドレイン電極１２４が配置される。第１ソース電極１２３及び第１ドレイン電極１２４は、同一層で離隔されて配置される。第１ソース電極１２３及び第１ドレイン電極１２４は、第１アクティブ層１２１と接する方式で第１アクティブ層１２１と電気的に連結され得る。第１ソース電極１２３及び第１ドレイン電極１２４は、様々な金属物質、例えば、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）、及び銅（Ｃｕ）のいずれか一つであるか二以上の合金、またはこれらの多重層であってよいが、これに制限されるものではない。
【００８５】
ゲート絶縁層１１３及び層間絶縁層１１４は、パターニングされて複数のアイランド基板１１１と重畳される領域にのみ配置され得る。ゲート絶縁層１１３及び層間絶縁層１１４もまたバッファ層１１２と同様に無機物からなり得る。それゆえ、ゲート絶縁層１１３及び層間絶縁層１１４は、ストレッチャブル表示装置１００を延伸する過程で容易にクラックが発生する等、損傷し得る。そこで、ゲート絶縁層１１３及び層間絶縁層１１４は、複数のアイランド基板１１１の間の領域には配置されず、複数のアイランド基板１１１の形状にパターニングされて複数のアイランド基板１１１上にのみ配置され得る。
【００８６】
図３においては、説明の便宜のために、ストレッチャブル表示装置１００に含まれ得る様々なトランジスタのうち駆動トランジスタである第１トランジスタ１２０だけを示したが、スイッチングトランジスタ、キャパシタ等も表示装置に含まれ得る。また、本明細書においては、第１トランジスタ１２０がコプラナー（ｃｏｐｌａｎａｒ）構造であるものと説明したが、スタッガード（ｓｔａｇｇｅｒｅｄ）構造等の様々なトランジスタも使用され得る。
【００８７】
図３を参照すると、ゲート絶縁層１１３上にゲートパッドＧＰが配置される。ゲートパッドＧＰは、ゲート信号を複数のサブ画素ＳＰＸに伝達するためのパッドである。ゲートパッドＧＰは、第１ゲート電極１２２と同一の物質からなり得るが、これに制限されない。
【００８８】
ゲートパッドＧＰは、ゲート配線として機能する連結配線１５０からゲート信号を複数のサブ画素ＳＰＸに伝達できる。ゲートパッドＧＰは、連結配線１５０と連結され、ゲート信号を複数のサブ画素ＳＰＸに伝達する。
【００８９】
連結配線１５０は、連結基板ＣＳの上面からバッファ層１１２、ゲート絶縁層１１３及び層間絶縁層１１４の側面と接し、層間絶縁層１１４の上面に延びて配置される。そして、連結配線１５０は、層間絶縁層１１４のコンタクトホールを通してゲートパッドＧＰと接することができる。従って、連結配線１５０は、ゲートパッドＧＰと電気的に連結され、ゲート信号をゲートパッドＧＰに伝達できる。
【００９０】
層間絶縁層１１４上に共通配線ＣＬが配置される。共通配線ＣＬは、複数のサブ画素ＳＰＸに共通電圧を印加する配線である。共通配線ＣＬは、第１トランジスタ１２０の第１ソース電極１２３及び第１ドレイン電極１２４と同一の物質からなり得るが、これに制限されない。
【００９１】
第１トランジスタ１２０、共通配線ＣＬ及び層間絶縁層１１４上に平坦化層１１５が配置される。平坦化層１１５は、第１トランジスタ１２０を含む複数のアイランド基板１１１の上部を平坦化するか、または発光素子１４０が配置される発光素子１４０の下部を平坦化する。平坦化層１１５は、単層または複数の層で構成され得、有機物質からなり得る。例えば、平坦化層１１５は、アクリル（ａｃｒｙｌ）系有機物質からなり得るが、これに制限されない。平坦化層１１５は、第１トランジスタ１２０と発光素子１４０を電気的に連結するためのコンタクトホール、ゲートパッドＧＰと連結パッドを電気的に連結するためのコンタクトホール、及び共通配線ＣＬと発光素子１４０を電気的に連結するためのコンタクトホールを含むことができる。
【００９２】
いくつかの実施例において、第１トランジスタ１２０と平坦化層１１５との間にパッシベーション層が形成されてもよい。即ち、第１トランジスタ１２０を水分及び酸素等の浸透から保護するために、第１トランジスタ１２０を覆うパッシベーション層が形成され得る。パッシベーション層は、無機物からなり得、単層または複層になされ得るが、これに限定されるものではない。
【００９３】
平坦化層１１５上に第１パッド１３１及び第２パッド１３２を配置できる。第１パッド１３１は、第１トランジスタ１２０と発光素子１４０を電気的に連結する電極である。第１パッド１３１は、平坦化層１１５上に配置され、発光素子１４０と接することができ、第１パッド１３１は、平坦化層１１５に形成されたコンタクトホールを通して第１トランジスタ１２０の第１ドレイン電極１２４と接し得る。従って、発光素子１４０と第１トランジスタ１２０の第１ドレイン電極１２４は、第１パッド１３１によって電気的に連結され得る。ただし、第１トランジスタ１２０のタイプによって第１パッド１３１は第１トランジスタ１２０の第１ソース電極１２３と連結されることもあり、これに制限されない。
【００９４】
第２パッド１３２は、発光素子１４０と共通配線ＣＬを電気的に連結する電極である。第２パッド１３２は、平坦化層１１５上に配置され、発光素子１４０と接することができ、第２パッド１３２は、平坦化層１１５に形成されたコンタクトホールを通して共通配線ＣＬと接し得る。従って、発光素子１４０と共通配線ＣＬは、第２パッド１３２によって電気的に連結され得る。
【００９５】
第１パッド１３１、第２パッド１３２、及び平坦化層１１５上にバンク１１６が配置される。バンク１１６は、発光素子１４０で発光された光が隣接したサブ画素ＳＰＸに伝達されて混色されることを防止するために、ブラック物質を含むように構成されてもよい。バンク１１６は、有機絶縁物質からなり得、平坦化層１１５と同一の物質からなってもよい。例えば、バンク１１６は、アクリル（ａｃｒｙｌ）系樹脂、ベンゾシクロブテン（ｂｅｎｚｏｃｙｃｌｏｂｕｔｅｎｅ；ＢＣＢ）系樹脂、またはポリイミドからなり得るが、これに制限されない。
【００９６】
第１パッド１３１、第２パッド１３２、及び平坦化層１１５上に発光素子１４０が配置される。発光素子１４０は、複数のサブ画素ＳＰＸそれぞれに対応するように配置され、特定波長範囲の光を発光する構成要素である。例えば、発光素子１４０は、青色光を発光する青色発光素子１４０、赤色光を発光する赤色発光素子１４０、または緑色光を発光する緑色発光素子１４０であってよいが、これに制限されない。
【００９７】
発光素子１４０は、ストレッチャブル表示装置１００の種類によって異なるように定義され得る。ストレッチャブル表示装置１００が有機発光ストレッチャブル表示装置である場合、発光素子１４０は、アノード、有機発光層１４２、及びカソードを含む有機発光素子１４０であってよい。ストレッチャブル表示装置１００が無機発光ストレッチャブル表示装置である場合、発光素子１４０は、ｎ型半導体層、発光層１４２、及びｐ型半導体層を含むＬＥＤ（Ｌｉｇｈｔ  Ｅｍｉｔｔｉｎｇ  Ｄｉｏｄｅ）、特にマイクロＬＥＤ（Ｍｉｃｒｏ  Ｌｉｇｈｔ  Ｅｍｉｔｔｉｎｇ  Ｄｉｏｄｅ）であってよい。以下においては、発光素子１４０が無機発光素子１４０であるマイクロＬＥＤであるものと仮定して説明するが、これに制限されず、有機発光素子１４０も発光素子１４０として使用され得る。
【００９８】
発光素子１４０は、第１半導体層１４１、発光層１４２、第２半導体層１４３、第１電極１４４、及び第２電極１４５を含む。以下においては、説明の便宜のために、発光素子１４０がフリップチップ（ｆｌｉｐ  ｃｈｉｐ）構造のマイクロＬＥＤであるものと仮定して説明するが、発光素子１４０は、水平（ｌａｔｅｒａｌ）構造または垂直（ｖｅｒｔｉｃａｌ）構造のマイクロＬＥＤであってもよく、これに制限されない。
【００９９】
第１パッド１３１上に第１電極１４４が配置され、第２パッド１３２上に第２電極１４５が配置される。第１電極１４４及び第２電極１４５それぞれは、第１パッド１３１及び第２パッド１３２と電気的に連結される。第１電極１４４は、第１トランジスタ１２０のドレイン電極からの電圧を第１半導体層１４１に伝達でき、第２電極１４５は、共通配線ＣＬからの電圧を第２半導体層１４３に伝達できる。
【０１００】
一方、第１パッド１３１及び第２パッド１３２と発光素子１４０の間に複数の接続パターンＢＰが配置される。複数の接続パターンＢＰは、複数の発光素子１４０を第１パッド１３１及び第２パッド１３２上に接合するための媒介体である。例えば、複数の接続パターンＢＰは、金（Ａｕ）バンプまたはソルダー（Ｓｏｌｄｅｒ）バンプであってよいが、これに制限されない。
【０１０１】
複数の接続パターンＢＰは、第１接続パターンＢＰ１及び第２接続パターンＢＰ２を含む。第１パッド１３１と第１電極１４４との間に第１接続パターンＢＰ１が配置され、第２パッド１３２と第２電極１４５との間に第２接続パターンＢＰ２が配置される。複数の発光素子１４０は、第１電極１４４と第１パッド１３１との間、及び第２電極１４５と第２パッド１３２との間に配置された複数の接続パターンＢＰを媒介として複数のアイランド基板１１１上にボンディングされ得る。併せて、複数の接続パターンＢＰのうち第２電極１４５と第２パッド１３２との間に配置された第２接続パターンＢＰ２は、発光素子１４０の第２電極１４５と第２パッド１３２との間の段差を補償できる。
【０１０２】
第１電極１４４上に第１半導体層１４１を配置し、第１半導体層１４１上に第２半導体層１４３を配置する。第１半導体層１４１及び第２半導体層１４３は、窒化ガリウム（ＧａＮ）にｎ型またはｐ型の不純物を注入して形成された層であってよい。例えば、第１半導体層１４１が窒化ガリウムにｐ型の不純物を注入して形成されたｐ型半導体層であり、第２半導体層１４３が窒化ガリウムにｎ型の不純物を注入して形成されたｎ型半導体層であってよいが、これに制限されない。そして、ｐ型の不純物は、マグネシウム（Ｍｇ）、亜鉛（Ｚｎ）、ベリリウム（Ｂｅ）等であってよく、ｎ型の不純物は、シリコン（Ｓｉ）、ゲルマニウム（Ｇｅ）、スズ（Ｓｎ）等であってよいが、これに制限されない。
【０１０３】
第１半導体層１４１と第２半導体層１４３との間に発光層１４２を配置する。発光層１４２は、第１半導体層１４１及び第２半導体層１４３から正孔及び電子の伝達を受けて光を発光できる。発光層１４２は、単層または量子井戸（Ｍｕｌｔｉ−Ｑｕａｎｔｕｍ  Ｗｅｌｌ；ＭＱＷ）構造で形成され得る。例えば、発光層１４２は、インジウムガリウム窒化物（ＩｎＧａＮ）または窒化ガリウム（ＧａＮ）等からなり得、これに制限されない。
【０１０４】
一方、第２半導体層１４３の一部分は、発光層１４２及び第１半導体層１４１の外側に突出する。言い換えれば、発光層１４２及び第１半導体層１４１は、第２半導体層１４３の下面を露出させるように第２半導体層１４３より小さくできる。第２半導体層１４３は、第２パッド１３２と電気的に連結するために、発光層１４２及び第１半導体層１４１から露出し得る。
【０１０５】
図３を参照すると、下部基板１１０の第１領域Ａ１から第３領域Ａ３に延びた追加連結基板ＣＳＡ及び追加連結配線１５０Ａが下部基板１１０上に配置される。追加連結配線１５０Ａは、アイランド基板１１１の第１トランジスタ１２０の第１ドレイン電極１２４と一体になされ得る。追加連結配線１５０Ａは、下部基板１１０の第１領域Ａ１上の第１ドレイン電極１２４から第３領域Ａ３に延びて配置され得る。従って、追加連結配線１５０Ａは、下部基板１１０の第１トランジスタ１２０の第１ドレイン電極１２４と電気的に連結され得、第１ドレイン電極１２４からの電圧を追加連結配線１５０Ａと連結された追加発光素子１４０Ａに伝達できる。ただし、これに制限されず、追加連結配線１５０Ａは、第１トランジスタ１２０の第１ドレイン電極１２４と異なる層に配置され、異なる物質からなってもよい。例えば、追加連結配線１５０Ａは、第１パッド１３１、第１ゲート電極１２２等と同一の層上に同一の物質からなってもよい。
【０１０６】
下部基板１１０の第３領域Ａ３に複数の圧電パターンＰＰが配置される。具体的には、追加連結基板ＣＳＡの末端に隣接するように複数の圧電パターンＰＰが配置される。下部基板１１０は、複数の第３領域Ａ３内に複数の溝が配置され、複数の溝内に複数の圧電パターンＰＰが配置される。
【０１０７】
仮に、複数の圧電パターンＰＰが下部基板１１０の上面に配置される場合、ストレッチャブル表示装置１００の延伸時、複数の圧電パターンＰＰにストレスが加えられ、複数の圧電パターンＰＰが割れたり、剥離されたり飛散したりすることもある。そこで、複数の圧電パターンＰＰを複数の溝内に配置し、ストレッチャブル表示装置１００の延伸時、複数の圧電パターンＰＰのクラック、剥離及び飛散を最小化できる。
【０１０８】
複数の圧電パターンＰＰは、機械的エネルギーを電気エネルギーに変換する素子である。例えば、複数の圧電パターンＰＰに外力、即ち、ストレスが加えられる場合、複数の圧電パターンＰＰから電圧が発生し得る。
【０１０９】
一方、複数の圧電パターンＰＰは、延性領域に該当する第３領域Ａ３で下部基板１１０の溝内に配置されるので、ストレッチャブル表示装置１００の延伸時、下部基板１１０及び下部基板１１０に安着した複数の圧電パターンＰＰに外力が加えられ得る。そして、ストレッチャブル表示装置１００の延伸による外力、即ち、機械的エネルギーが複数の圧電パターンＰＰに加えられると、複数の圧電パターンＰＰから電気エネルギーが発生し得る。従って、ストレッチャブル表示装置１００の延伸時、複数の圧電パターンＰＰに延伸による外力、即ち、ストレスが加えられて電圧を発生し得る。
【０１１０】
複数の圧電パターンＰＰにストレスが加えられる場合、複数の圧電パターンＰＰから発生する電圧は、ストレスが加えられた直後、一時的に最大値を有し、以後、電圧降下が発生して特定電圧に収めることができる。例えば、複数の圧電パターンＰＰにストレスが加えられると、複数の圧電パターンＰＰから瞬間的に最大電圧が発生し得る。そして、最大電圧が発生した後、電圧降下が起こって複数の圧電パターンＰＰから発生する電圧値は急進的に減少し得る。ただし、複数の圧電パターンＰＰから発生した電圧値は、減少し続けるのではなく、特定電圧値に収めることができる。このとき、複数の圧電パターンＰＰから最終的に収める特定電圧値を第１電圧と定義することができる。従って、複数の圧電パターンＰＰにストレスが加えられると、複数の圧電パターンＰＰから第１電圧が発生し得る。
【０１１１】
複数の圧電パターンＰＰから加えられるストレスが除去された場合、複数の圧電パターンＰＰから発生する電圧は、ストレスが除去された直後、ストレスが加えられた時に発生した最大値と反対極性の最大値を有し、以後、フローティング（ｆｌｏａｔｉｎｇ）された状態になり得る。例えば、複数の圧電パターンＰＰに加えられたストレスが除去された場合、複数の圧電パターンＰＰから瞬間的に最大電圧が発生し得る。この時に発生する最大電圧は、複数の圧電パターンＰＰにストレスが加えられた直後に発生する最大電圧とは反対極性であり得る。そして、複数の圧電パターンＰＰはフローティングされ得る。従って、複数の圧電パターンＰＰにストレスが加えられないと、複数の圧電パターンＰＰはフローティングされ得る。
【０１１２】
まとめると、ストレッチャブル表示装置１００が延伸しないとき、複数の圧電パターンＰＰには、機械的エネルギー、即ち、ストレスが加えられないため、複数の圧電パターンＰＰはフローティングされ得る。そして、ストレッチャブル表示装置１００が延伸するとき、複数の圧電パターンＰＰには、機械的エネルギー、即ち、ストレスが加えられるため、複数の圧電パターンＰＰは第１電圧を発生し得る。
【０１１３】
一方、複数の圧電パターンＰＰから発生する最大電圧の場合、複数の圧電パターンＰＰの大きさと比例し得る。例えば、複数の圧電パターンＰＰの長さが約２ｃｍであるとき、複数の圧電パターンＰＰから発生した最大電圧は、約８Ｖであってよい。そして、複数の圧電パターンＰＰ上に配置される複数の追加発光素子１４０Ａの長さが約５００μｍであり、複数の追加発光素子１４０Ａの長さと対応するように複数の圧電パターンＰＰの長さを設定する場合、複数の圧電パターンＰＰから発生する最大電圧は、約０．２Ｖであってよい。具体的には、複数の圧電パターンＰＰが２ｃｍの長さを有するとき、最大電圧が８Ｖであり、複数の圧電パターンＰＰが５００μｍの長さを有するとき、最大電圧もまた長さに比例して約０．２Ｖの値を有し得る。そこで、複数の圧電パターンＰＰの最大電圧が約０．２Ｖであり、第１電圧もまた上述したように０Ｖであって、最大電圧と第１電圧の差が微々たる程度であり得る。それゆえ、複数の圧電パターンＰＰで第１電圧が発生する時にのみ複数の追加発光素子１４０Ａが発光するのではなく、複数の圧電パターンＰＰで最大電圧から第１電圧に収めるまでの期間の間にも複数の追加発光素子１４０Ａが発光し得る。即ち、ストレッチャブル表示装置１００が延伸した後、複数の追加発光素子１４０Ａが遅れて発光するのではなく、ストレッチャブル表示装置１００の延伸と同時に複数の追加発光素子１４０Ａが発光し得、複数の追加発光素子１４０Ａは、ストレッチャブル表示装置１００の延伸時、輝度が低下することを遅延なしに補償できる。
【０１１４】
下部基板１１０の第３領域Ａ３に追加発光素子１４０Ａが配置される。追加連結基板ＣＳＡ及び追加連結配線１５０Ａと複数の圧電パターンＰＰ上に追加発光素子１４０Ａが配置される。追加発光素子１４０Ａは、複数の追加サブ画素ＳＰＸＡそれぞれに対応するように配置され、特定波長範囲の光を発光する構成要素であり、複数のサブ画素ＳＰＸそれぞれに配置された発光素子１４０と実質的に同一であってよい。
【０１１５】
追加発光素子１４０Ａは、第１追加半導体層１４１Ａ、追加発光層１４２Ａ、第２追加半導体層１４３Ａ、第１追加電極１４４Ａ、及び第２追加電極１４５Ａを含む。
【０１１６】
追加連結配線１５０Ａの一端部上に第１追加電極１４４Ａが配置され、複数の圧電パターンＰＰ上に第２追加電極１４５Ａが配置される。第１追加電極１４４Ａ及び第２追加電極１４５Ａそれぞれは、複数の追加連結配線１５０Ａ及び複数の圧電パターンＰＰと電気的に連結される。第１追加電極１４４Ａは、第１トランジスタ１２０のドレイン電極から電圧を第１追加半導体層１４１Ａに伝達でき、第２追加電極１４５Ａは、圧電パターンＰＰにストレスが加えられた場合、圧電パターンＰＰからの第１電圧を第２追加半導体層１４３Ａに伝達できる。
【０１１７】
一方、第１追加電極１４４Ａと追加連結配線１５０Ａとの間、第２追加電極１４５Ａと圧電パターンＰＰとの間に複数の追加接続パターンＢＰＡが配置される。複数の追加接続パターンＢＰＡは、複数の追加発光素子１４０Ａを複数の追加連結配線１５０Ａ及び複数の圧電パターンＰＰ上に接合するための媒介体である。例えば、複数の追加接続パターンＢＰＡは、金（Ａｕ）バンプまたはソルダー（Ｓｏｌｄｅｒ）バンプであってよいが、これに制限されない。
【０１１８】
複数の追加接続パターンＢＰＡは、第１追加接続パターンＢＰ１Ａ及び第２追加接続パターンＢＰ２Ａを含む。追加連結配線１５０Ａと第１追加電極１４４Ａとの間に第１追加接続パターンＢＰ１Ａを配置し、圧電パターンＰＰと第２追加電極１４５Ａとの間に第２追加接続パターンＢＰ２Ａを配置する。複数の追加発光素子１４０Ａは、複数の追加接続パターンＢＰＡを媒介として下部基板１１０の第３領域Ａ３上にボンディングされ得る。併せて、第２追加接続パターンＢＰ２Ａは、第２追加電極１４５Ａと圧電パターンＰＰとの間の段差を補償できる。
【０１１９】
一方、複数の追加接続パターンＢＰＡのうち第２追加電極１４５Ａと圧電パターンＰＰとの間に配置された第２追加接続パターンＢＰ２Ａの場合、圧電パターンＰＰと第２追加電極１４５Ａを電気的に連結させるだけではなく、圧電パターンＰＰと同一の物質をさらに含み、ストレスが加えられた場合、複数の追加発光素子１４０Ａに電圧を供給することもできる。
【０１２０】
第１追加電極１４４Ａ上に第１追加半導体層１４１Ａが配置され、第１追加半導体層１４１Ａ上に第２追加半導体層１４３Ａが配置される。第１追加半導体層１４１Ａ及び第２追加半導体層１４３Ａは、窒化ガリウム（ＧａＮ）にｎ型またはｐ型の不純物を注入して形成された層であってよい。例えば、第１追加半導体層１４１Ａは窒化ガリウムにｐ型の不純物を注入して形成されたｐ型半導体層であり、第２追加半導体層１４３Ａは窒化ガリウムにｎ型の不純物を注入して形成されたｎ型半導体層であってよいが、これに制限されない。そして、ｐ型の不純物は、マグネシウム（Ｍｇ）、亜鉛（Ｚｎ）、ベリリウム（Ｂｅ）等であってよく、ｎ型の不純物は、シリコン（Ｓｉ）、ゲルマニウム（Ｇｅ）、スズ（Ｓｎ）等であってよいが、これに制限されない。
【０１２１】
第１追加半導体層１４１Ａと第２追加半導体層１４３Ａとの間に追加発光層１４２Ａが配置される。追加発光層１４２Ａは、第１追加半導体層１４１Ａ及び第２追加半導体層１４３Ａから正孔及び電子の伝達を受けて光を発光できる。追加発光層１４２Ａは、単層または量子井戸（Ｍｕｌｔｉ−Ｑｕａｎｔｕｍ  Ｗｅｌｌ；ＭＱＷ）構造になされ得る。例えば、追加発光層１４２Ａは、インジウムガリウム窒化物（ＩｎＧａＮ）または窒化ガリウム（ＧａＮ）等からなり得、これに制限されない。
【０１２２】
一方、第２追加半導体層１４３Ａの一部分は、追加発光層１４２Ａ及び第１追加半導体層１４１Ａの外側に突出する。言い換えれば、追加発光層１４２Ａ及び第１追加半導体層１４１Ａは、第２追加半導体層１４３Ａの下面を露出させるように第２追加半導体層１４３Ａより小さくできる。第２追加半導体層１４３Ａは、圧電パターンＰＰと電気的に連結されるために、追加発光層１４２Ａ及び第１追加半導体層１４１Ａから露出し得る。
【０１２３】
一方、ストレッチャブル表示装置１００がターンオン（Ｔｕｒｎ−Ｏｎ）される場合、複数のアイランド基板１１１上の複数の発光素子１４０がオンされ得る。具体的に、複数の発光素子１４０と電気的に連結された第１トランジスタ１２０の第１ドレイン電極１２４及び共通配線ＣＬそれぞれには、互いに異なるレベルの電圧が印加され得る。そして、発光素子１４０の第１電極１４４には、第１トランジスタ１２０の第１ドレイン電極１２４からの電圧が印加され得、第２電極１４５には、共通配線ＣＬからの共通電圧が印加され得る。そして、互いに異なるレベルの電圧が発光素子１４０の第１電極１４４及び第２電極１４５に印加されることで発光層１４２に電流が流れて発光素子１４０が発光できる。
【０１２４】
一方、第１領域Ａ１の複数のアイランド基板１１１上の複数の発光素子１４０それぞれに連結された第１トランジスタ１２０の第１ドレイン電極１２４は、第１領域Ａ１に対角線で隣接した第３領域Ａ３上の複数の追加発光素子１４０Ａそれぞれにも電気的に連結され得る。複数のアイランド基板１１１上の複数の発光素子１４０と第３領域Ａ３の複数の追加発光素子１４０Ａは、同一の第１トランジスタ１２０の第１ドレイン電極１２４と電気的に連結され得る。即ち、一つの第１トランジスタ１２０の第１ドレイン電極１２４に一つの発光素子１４０と一つの追加発光素子１４０Ａが同時に電気的に連結され得る。それゆえ、一つの発光素子１４０を発光させるために、第１トランジスタ１２０の第１ドレイン電極１２４からの電圧が一つの発光素子１４０の第１電極１４４に印加されるとき、一つの追加発光素子１４０Ａの第１追加電極１４４Ａに同一の電圧が同時に印加され得る。
【０１２５】
ただし、追加発光素子１４０Ａの場合、第１追加電極１４４Ａに第１ドレイン電極１２４からの電圧が印加されても、第２追加電極１４５Ａに追加発光素子１４０Ａを駆動させることのできる電圧が印加されて初めて追加発光層１４２Ａに電流が流れて追加発光素子１４０Ａは発光できる。
【０１２６】
追加発光素子１４０Ａの第２追加電極１４５Ａは、上述したように複数の圧電パターンＰＰそれぞれに電気的に連結される。ストレッチャブル表示装置１００の延伸による外力が複数の圧電パターンＰＰに加えられる場合、複数の圧電パターンＰＰは、第１電圧が発生し得る。そこで、一つの追加発光素子１４０Ａと対応する発光素子１４０が発光されるとき、ストレッチャブル表示装置１００が延伸して圧電パターンＰＰから第１電圧が発生する場合、一つの追加発光素子１４０Ａもまた一つの発光素子１４０と共に発光できる。従って、ストレッチャブル表示装置１００の延伸時、複数の発光素子１４０のうち発光する一部の発光素子１４０と対応する追加発光素子１４０Ａもまた共に発光できる。
【０１２７】
このとき、圧電パターンＰＰから発生する第１電圧は、第１ドレイン電極１２４からの電圧と異なるレベルの電圧であってよく、例えば、第１電圧は０Ｖであってよいが、これに制限されない。
【０１２８】
図３を参照すると、下部基板１１０上に上部基板１６０が配置される。具体的には、下部基板１１０の複数の発光素子１４０及び複数の追加発光素子１４０Ａ上に上部基板１６０が配置される。上部基板１６０は、上部基板１６０の下に配置される様々な構成要素を支持する基板である。上部基板１６０は、延性基板であって、反ったり伸びたりすることのできる絶縁物質で構成され得る。上部基板１６０は、延性基板であって、膨張及び収縮が可逆的に可能であり得る。また、弾性係数（ｅｌａｓｔｉｃ  ｍｏｄｕｌｕｓ）が数ＭＰａ〜数百ＭＰａであってよく、延伸破壊率が１００％以上であってよい。上部基板１６０の厚さは、１０μｍ〜１ｍｍであってよいが、これに制限されるものではない。
【０１２９】
上部基板１６０は、下部基板１１０と同一の物質からなり得、例えば、ポリジメチルシロキサン（ｐｏｌｙｄｉｍｅｔｈｙｌｓｉｌｏｘａｎｅ；ＰＤＭＳ）のようなシリコーンゴム（Ｓｉｌｉｃｏｎｅ  Ｒｕｂｂｅｒ）、ポリウレタン（ｐｏｌｙｕｒｅｔｈａｎｅ；ＰＵ）等の弾性重合体（ｅｌａｓｔｏｍｅｒ）からなり得、そこで、柔軟な性質を有することができる。しかし、上部基板１６０の材質は、これに制限されるものではない。
【０１３０】
上部基板１６０と下部基板１１０には圧力が加えられ、上部基板１６０の下に配置された接着層１１７によって上部基板１６０と下部基板１１０が合着し得る。ただし、これに制限されず、実施例によって接着層１１７が省略されることもある。
【０１３１】
上部基板１６０上に偏光層１９０が配置される。偏光層１９０は、ストレッチャブル表示装置１００の外部から入射する光を偏光させることができる。偏光層１９０を通過してストレッチャブル表示装置１００の内部に入射した偏光された光は、ストレッチャブル表示装置１００の内部で反射し得、そこで、位相が転換され得る。位相が転換された光は、偏光層１９０を通過できないことがある。そこで、ストレッチャブル表示装置１００の外部からストレッチャブル表示装置１００の内部に入射した光は、ストレッチャブル表示装置１００の外部に放出できず、ストレッチャブル表示装置１００の外光反射は減少し得る。
【０１３２】
本発明の第１の実施例に係るストレッチャブル表示装置１００は、下部基板１１０においてダミーでいかなる機能も有しない部分、即ち、複数のアイランド基板１１１が配置される複数の第１領域Ａ１及び複数の連結配線１５０が配置される複数の第２領域Ａ２を除く領域である複数の第３領域Ａ３に追加画素ＰＸＡを配置することで、効率よくストレッチャブル表示装置１００の面積を活用すると同時にストレッチャブル表示装置１００の開口率を向上することができる。例えば、図２に示されたように、ストレッチャブル表示装置１００に追加画素ＰＸＡを配置させる場合、開口率が増加し得る。そこで、本発明の第１の実施例に係るストレッチャブル表示装置１００の輝度もまた改善され得る。
【０１３３】
本発明の第１の実施例に係るストレッチャブル表示装置１００においては、複数のアイランド基板１１１上に配置された第１トランジスタ１２０を画素ＰＸ及び追加画素ＰＸＡが共有して追加画素ＰＸＡを容易に動作できる。第１トランジスタ１２０を駆動して発光素子１４０を発光した状況で、ストレッチャブル表示装置１００の延伸の有無によって同一の第１トランジスタ１２０に連結された追加発光素子１４０Ａが同時に発光し得る。そこで、本発明の第１の実施例に係るストレッチャブル表示装置１００においては、発光素子１４０及び追加発光素子１４０Ａが複数のアイランド基板１１１上に配置された一つの第１トランジスタ１２０を共有することで別途の回路部の追加なしに複数の追加発光素子１４０Ａを容易に発光することができ、ストレッチャブル表示装置１００の開口率を向上できる。
【０１３４】
また、本発明の第１の実施例に係るストレッチャブル表示装置１００においては、複数の第３領域Ａ３に追加画素ＰＸＡを形成することで、ストレッチャブル表示装置１００の延伸によるストレッチャブル表示装置１００の画質低下及び格子感を最小化できる。具体的に、追加発光素子１４０Ａの第１追加電極１４４Ａには、第１トランジスタ１２０の第１ドレイン電極１２４からの電圧が印加されるが、圧電パターンＰＰはフローティング状態であるため、第２追加電極１４５Ａには、別途の電圧が印加されないことがある。そこで、ストレッチャブル表示装置１００が延伸せず、複数のアイランド基板１１１の間の距離が最小であるとき、複数のアイランド基板１１１の間の追加発光素子１４０Ａは発光せず、複数のアイランド基板１１１上の複数の発光素子１４０だけが発光し得る。これに対して、ストレッチャブル表示装置１００の延伸時、複数のアイランド基板１１１の間の領域が延伸するので、複数のアイランド基板１１１の間の間隔が延伸前に比べて増加し得る。そこで、ストレッチャブル表示装置１００の延伸時、複数のアイランド基板１１１の間の領域での輝度低下により格子状のムラが視認され得、画質が低下する問題が発生し得る。そこで、本発明の第１の実施例に係るストレッチャブル表示装置１００は、ストレッチャブル表示装置１００が延伸した場合、同一の第１トランジスタ１２０に連結された発光素子１４０及び追加発光素子１４０Ａをいずれも同時に駆動できる。具体的には、ストレッチャブル表示装置１００の延伸時、一つの発光素子１４０が第１トランジスタ１２０により駆動されるとき、同一の第１トランジスタ１２０に連結された追加発光素子１４０Ａの第１追加電極１４４Ａには、第１トランジスタ１２０の第１ドレイン電極１２４からの電圧を印加でき、第２追加電極１４５Ａには、ストレスにより圧電パターンＰＰで発生した第１電圧を印加できる。そこで、ストレッチャブル表示装置１００が延伸して複数のアイランド基板１１１が離隔するとき、複数のアイランド基板１１１の間の追加発光素子１４０Ａが発光し、複数の発光素子１４０が離隔することで発生する輝度低下を補償できる。即ち、ストレッチャブル表示装置１００が延伸する場合に離れた発光素子１４０間の間隙を追加発光素子１４０Ａが補償して、発光素子１４０の間隔が一様なものに見せることができる。従って、本発明の第１の実施例に係るストレッチャブル表示装置１００においては、ストレッチャブル表示装置１００の延伸時、画面が歪み、格子感が発生することを最小化できる。
【０１３５】
図４は、本発明の第２の実施例に係るストレッチャブル表示装置の拡大平面図である。図５は、本発明の第２の実施例に係るストレッチャブル表示装置のサブ画素及び追加サブ画素についての概略的な断面図である。図４及び図５のストレッチャブル表示装置４００は、図１乃至図３に示されたストレッチャブル表示装置１００と比べて追加連結配線４５０Ａが異なり、追加絶縁層４１８及び追加配線ＬＬをさらに含むということを除けば実質的に同一であり、重複した説明は省略する。
【０１３６】
図４及び図５を参照すると、層間絶縁層１１４上に追加配線ＬＬが配置される。追加配線ＬＬは、第１トランジスタ１２０の第１ソース電極１２３及び第１ドレイン電極１２４と同一の物質からなり得るが、これに制限されない。
【０１３７】
追加配線ＬＬは、複数のアイランド基板１１１上に配置され、複数のサブ画素ＳＰＸに各種の信号を伝達できる。追加配線ＬＬは、例えば、ゲート配線、データ配線、高電位電源配線、低電位電源配線、基準電圧配線、共通配線ＣＬ等であってよいが、これに制限されない。
【０１３８】
追加配線ＬＬ上に追加配線ＬＬを覆う追加絶縁層４１８が配置される。追加絶縁層４１８は、第１ドレイン電極１２４、追加配線ＬＬを覆うように配置され得る。そして、追加絶縁層４１８は、複数のアイランド基板１１１の外側に延びて追加連結基板ＣＳＡを覆うように配置され得る。追加絶縁層４１８は、第１トランジスタ１２０の第１ドレイン電極１２４と追加連結配線４５０Ａを電気的に連結するためのコンタクトホールを含むことができる。
【０１３９】
追加絶縁層４１８は、絶縁物質からなり得、追加絶縁層４１８は、延性領域である第３領域Ａ３の追加連結基板ＣＳＡ上に延びて配置されるため、延性を有する絶縁物質からなり得る。例えば、追加絶縁層４１８は、複数のアイランド基板１１１及び複数の追加連結基板ＣＳＡと同一の物質からなり得るが、これに制限されない。
【０１４０】
一方、図５においては、追加絶縁層４１８が複数のアイランド基板１１１の外側に延びて配置されたものと示したが、追加絶縁層４１８は、複数のアイランド基板１１１上にのみ配置されてもよい。そして、この場合、追加絶縁層４１８は、絶縁物質のうち無機物である窒化シリコン（ＳｉＮｘ）または酸化シリコン（ＳｉＯｘ）の単一層、あるいは窒化シリコン（ＳｉＮｘ）または酸化シリコン（ＳｉＯｘ）の多重層に構成され得るが、これに制限されるものではない。
【０１４１】
追加絶縁層４１８上に追加連結配線４５０Ａが配置される。追加連結配線４５０Ａは、追加絶縁層４１８の上面に配置され、複数のアイランド基板１１１から第３領域Ａ３側に延びて配置される。追加連結配線４５０Ａは、追加絶縁層４１８のコンタクトホールを通して第１ドレイン電極１２４と接し、追加連結配線４５０Ａは、第１ドレイン電極１２４と電気的に連結され得る。そして、第３領域Ａ３側に延びた追加連結配線４５０Ａの一端は、複数の追加接続パターンＢＰＡを通して第３領域Ａ３の追加発光素子１４０Ａの第１追加電極１４４Ａと電気的に連結され得る。従って、追加連結配線４５０Ａは、複数のアイランド基板１１１上の第１トランジスタ１２０の第１ドレイン電極１２４からの電圧を第３領域Ａ３の追加発光素子１４０Ａに伝達できる。
【０１４２】
本発明の第２の実施例に係るストレッチャブル表示装置４００は、アイランド基板１１１上に配置された様々な配線とアイランド基板１１１から第３領域Ａ３側に延びる追加連結配線４５０Ａとの間に追加絶縁層４１８を配置し、様々な配線と追加連結配線４５０Ａとの間のショートを防止できる。複数のアイランド基板１１１上にのみ金属物質からなる様々な配線を配置する。例えば、複数のアイランド基板１１１上にのみゲート配線、データ配線、高電位電源配線、低電位電源配線、基準電圧配線、共通配線ＣＬ等のような様々な配線を配置し得る。そして、複数の追加連結配線４５０Ａは、複数のアイランド基板１１１上の第１トランジスタ１２０の第１ドレイン電極１２４と電気的に連結され、追加発光素子１４０Ａに第１トランジスタ１２０からの電圧を伝達できる。このとき、アイランド基板１１１の様々な配線のうち第１トランジスタ１２０の第１ドレイン電極１２４と同一平面上に配置された配線が配置され得る。例えば、第１ドレイン電極１２４と追加配線ＬＬが同一平面上に配置され得る。そこで、第１ドレイン電極１２４からアイランド基板１１１の外側に延びる追加連結配線４５０Ａと追加配線ＬＬが接しないように追加配線ＬＬを覆う追加絶縁層４１８をさらに配置できる。追加絶縁層４１８は、アイランド基板１１１から追加連結基板ＣＳＡにまで配置され、第１ドレイン電極１２４からアイランド基板１１１の外側に延びて配置される追加連結配線４５０Ａをアイランド基板１１１上の様々な配線と絶縁することができる。追加絶縁層４１８は、絶縁物質からなり得、例えば、複数のアイランド基板１１１及び複数の追加連結基板ＣＳＡと同一の物質からなり得る。従って、本発明の第２の実施例に係るストレッチャブル表示装置４００は、複数のアイランド基板１１１上の様々な配線と複数のアイランド基板１１１から第３領域Ａ３に延びた追加連結配線４５０Ａを絶縁させ、ストレッチャブル表示装置４００の信頼性を向上できる。
【０１４３】
図６は、本発明の第３の実施例に係るストレッチャブル表示装置の拡大平面図である。図７は、本発明の第３の実施例に係るストレッチャブル表示装置のサブ画素及び追加サブ画素についての概略的な断面図である。図６及び図７のストレッチャブル表示装置６００は、図１乃至図３に示されたストレッチャブル表示装置１００と比べて第２トランジスタ６２０をさらに含むということを除けば実質的に同一であり、重複した説明は省略する。
【０１４４】
図６及び図７を参照すると、複数のアイランド基板１１１上に複数の第２トランジスタ６２０が配置される。複数の第２トランジスタ６２０それぞれは、第２アクティブ層６２１、第２ゲート電極６２２、第２ソース電極６２３、及び第２ドレイン電極６２４を含む。
【０１４５】
まず、バッファ層１１２上には、第２アクティブ層６２１が配置される。例えば、第２アクティブ層は、酸化物半導体で形成されてもよく、非晶質シリコン（ａｍｏｒｐｈｏｕｓ  ｓｉｌｉｃｏｎ、ａ−Ｓｉ）、多結晶シリコン（ｐｏｌｙｃｒｙｓｔａｌｌｉｎｅ  ｓｉｌｉｃｏｎ、ｐｏｌｙ−Ｓｉ）、または有機物（ｏｒｇａｎｉｃ）半導体等で形成され得る。
【０１４６】
第２アクティブ層６２１上には、ゲート絶縁層１１３が配置される。ゲート絶縁層１１３は、第２ゲート電極６２２と第２アクティブ層６２１を電気的に絶縁させるための層であり、絶縁物質からなり得る。例えば、ゲート絶縁層１１３は、無機物である窒化シリコン（ＳｉＮｘ）または酸化シリコン（ＳｉＯｘ）の単一層、あるいは窒化シリコン（ＳｉＮｘ）または酸化シリコン（ＳｉＯｘ）の多重層に構成され得るが、これに制限されるものではない。
【０１４７】
バッファ層１１２上には、第２ゲート電極６２２が配置される。第２ゲート電極６２２は、第２アクティブ層６２１と重畳するように配置される。第２ゲート電極６２２は、様々な金属物質、例えば、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）、及び銅（Ｃｕ）のいずれか一つであるか二以上の合金、またはこれらの多重層であってよいが、これに制限されるものではない。
【０１４８】
第２ゲート電極６２２上には、層間絶縁層１１４が配置される。層間絶縁層１１４は、第２ゲート電極６２２と第２ソース電極６２３及び第２ドレイン電極６２４を絶縁させるための層であり、バッファ層１１２と同様に無機物からなり得る。例えば、層間絶縁層１１４は、無機物である窒化シリコン（ＳｉＮｘ）または酸化シリコン（ＳｉＯｘ）の単一層、あるいは窒化シリコン（ＳｉＮｘ）または酸化シリコン（ＳｉＯｘ）の多重層に構成され得るが、これに制限されるものではない。
【０１４９】
層間絶縁層１１４上には、第２アクティブ層６２１とそれぞれ接する第２ソース電極６２３及び第２ドレイン電極６２４が配置される。第２ソース電極６２３及び第２ドレイン電極６２４は、同一層で離隔されて配置される。第２ソース電極６２３及び第２ドレイン電極６２４は、第２アクティブ層６２１と接する方式で第２アクティブ層６２１と電気的に連結され得る。第２ソース電極６２３及び第２ドレイン電極６２４は、様々な金属物質、例えば、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）、及び銅（Ｃｕ）のいずれか一つであるか二以上の合金、またはこれらの多重層であってよいが、これに制限されるものではない。
【０１５０】
第１領域Ａ１のアイランド基板１１１から第３領域Ａ３に延びた追加連結基板ＣＳＡ及び追加連結配線１５０Ａが下部基板１１０上に配置される。追加連結配線１５０Ａは、アイランド基板１１１上の第２トランジスタ６２０の第２ドレイン電極６２４から第３領域Ａ３に延びて配置され得る。追加連結配線１５０Ａは、第２ドレイン電極６２４と一体になされ、第３領域Ａ３に延びて配置され得る。従って、追加連結配線１５０Ａは、第２トランジスタ６２０の第２ドレイン電極６２４と電気的に連結され得、第２ドレイン電極６２４からの電圧を追加連結配線１５０Ａと連結された追加発光素子１４０Ａに伝達できる。
【０１５１】
一方、第１トランジスタ１２０及び第２トランジスタ６２０は、個別的に動作できる。例えば、第１トランジスタ１２０の第１ソース電極１２３及び第２トランジスタ６２０の第２ソース電極６２３には、互いに異なる配線からの電圧が印加され得る。そして、第１ソース電極１２３に印加された電圧により第１ドレイン電極１２４及び発光素子１４０の第１電極１４４に電圧が印加され得、第２ソース電極６２３に印加された電圧により第２ドレイン電極６２４及び追加発光素子１４０Ａの第１追加電極１４４Ａに電圧が印加され得る。このとき、発光素子１４０の第２電極１４５への共通電圧及び追加発光素子１４０Ａの第２追加電極１４５Ａからの第１電圧は、固定された値を有し得る。そこで、第１トランジスタ１２０の第１ソース電極１２３及び第２トランジスタ６２０の第２ソース電極５２３に印加される電圧を調節し、発光素子１４０及び追加発光素子１４０Ａそれぞれから発光される光の輝度を調節できる。
【０１５２】
本発明の第３の実施例に係るストレッチャブル表示装置６００の追加サブ画素ＳＰＸＡは、複数のアイランド基板１１１上に配置されたサブ画素ＳＰＸと独立して駆動され得る。具体的に、複数のアイランド基板１１１上の発光素子１４０は、第１トランジスタ１２０の第１ドレイン電極１２４と電気的に連結され、第１ドレイン電極１２４からの電圧の伝達を受けることができる。それゆえ、複数のアイランド基板１１１上の発光素子１４０は、第１トランジスタ１２０から電圧の伝達を受けて駆動され得、複数の第３領域Ａ３上の追加発光素子１４０Ａは、第２トランジスタ６２０から電圧の伝達を受けて駆動され得る。そこで、本発明の第３の実施例に係るストレッチャブル表示装置６００は、サブ画素ＳＰＸと追加サブ画素ＳＰＸＡが独立して駆動されることで、解像度を増加でき、ストレッチャブル表示装置６００の延伸時、追加サブ画素ＳＰＸＡを選択的に駆動させ、表示される映像の品質を向上できる。
【０１５３】
本発明の第３の実施例に係るストレッチャブル表示装置６００は、複数の追加サブ画素ＳＰＸＡと複数のサブ画素ＳＰＸとの間の輝度偏差を低減できる。まず、追加発光素子１４０Ａの第２追加電極１４５Ａに印加される第１電圧と、発光素子１４０の第２電極１４５に印加される共通電圧は同一であってもよく、互いに異なる値を有してよい。仮に、第１電圧と共通電圧との間の電位差が存在し、第１トランジスタ１２０及び第２トランジスタ６２０に同一の電圧が印加される場合、発光素子１４０及び追加発光素子１４０Ａの間に輝度差が発生し得る。そこで、本発明の第３の実施例に係るストレッチャブル表示装置６００においては、第１電圧と共通電圧との間の差が発生しても、第１トランジスタ１２０及び第２トランジスタ６２０に印加される電圧を調節して、発光素子１４０及び追加発光素子１４０Ａの輝度偏差を低減できる。具体的には、発光素子１４０の第２電極１４５に印加される共通電圧が固定された状態で、発光素子１４０の第１電極１４４に印加される第１トランジスタ１２０からの電圧を調節して第１電極１４４と第２電極１４５との間の電位差を調節でき、発光素子１４０から発光された光の輝度を調節できる。そして、追加発光素子１４０Ａの第２追加電極１４５Ａに印加される第１電圧が固定された状態で、追加発光素子１４０Ａの第１追加電極１４４Ａに印加される第２トランジスタ６２０からの電圧を調節して第１追加電極１４４Ａと第２追加電極１４５Ａの電位差を調節でき、追加発光素子１４０Ａから発光された光の輝度を調節できる。従って、本発明の第３の実施例に係るストレッチャブル表示装置６００においては、第１トランジスタ１２０と第２トランジスタ６２０を個別的に駆動し、発光素子１４０と追加発光素子１４０Ａとの間の輝度偏差を最小化できる。
【０１５４】
図８は、本発明の第３の実施例に係るストレッチャブル表示装置の拡大平面図である。図９は、本発明の第３の実施例に係るストレッチャブル表示装置の追加サブ画素についての概略的な断面図である。図１０ａ及び図１０ｂは、本発明の第３の実施例に係るストレッチャブル表示装置の概略的な工程図である。図１１ａ及び図１１ｂは、本発明の第３の実施例に係る追加サブ画素についての概略的な平面図である。図８乃至図１１ｂのストレッチャブル表示装置８００は、図１乃至図３に示されたストレッチャブル表示装置１００と比較して強化層９１６をさらに含むということを除けば実質的に同一であり、重複した説明は省略する。
【０１５５】
図９は、図８に示されたストレッチャブル表示装置８００においてＩ−Ｉ’領域を切断した断面図である。ストレッチャブル表示装置８００の延伸時、第３領域Ａ３は、外圧により伸び得る領域であるので、第３領域Ａ３に配置された追加発光素子１４０Ａは、第１領域Ａ１に配置された発光素子１４０と比較して相対的に信頼性が低下し得る。追加発光素子１４０Ａは、追加接続パターンＢＰＡにより下部基板１１０と固定されるが、外部ストレスに持続的に露出されるため、下部基板１１０との接着力が低下し得る。そこで、下部基板１１０と追加発光素子１４０Ａとの間に強化層９１６を配置し、追加発光素子１４０Ａを下部基板１１０によりしっかり固定させることができる。
【０１５６】
図８及び図９を参照すると、下部基板１１０上の第３領域Ａ３に強化層９１６が配置される。強化層９１６は、単層または複数の層で構成され得、有機物質からなり得る。例えば、強化層９１６は、アクリル（ａｃｒｙｌ）系有機物質からなり得るが、これに制限されない。
【０１５７】
図１０ａ及び図１０ｂを参照すると、追加発光素子１４０Ａが強化層９１６により下部基板１１０としっかり固定される過程を確認できる。まず、下部基板１１０上で追加サブ画素ＳＰＸＡが配置される領域に強化層９１６が形成される。強化層９１６は、追加発光素子１４０Ａが配置される領域の周辺部と圧電パターンＰＰ上に形成され得る。また、追加連結基板ＣＳＡの末端周辺に形成され得る。但し、第１追加電極１４４Ａ及び第２追加電極１４５Ａとは重畳されないように形成されることが好ましい。下部基板１１０上に強化層９１６が形成された後、追加発光素子１４０Ａが追加サブ画素ＳＰＸＡ領域に転写される。このとき、追加発光素子１４０Ａの上部から圧力が加えられると、強化層９１６と追加発光素子１４０Ａはさらに密着し得る。即ち、強化層９１６と追加発光素子１４０Ａとの間にあった空隙が強化層９１６で満たされながら、追加発光素子１４０Ａが位置する領域の剛性が増加し得る。これによって、第３領域Ａ３が外圧等により伸びても追加発光素子１４０Ａは安全に保護され得る。一方、図８及び図９に示されたストレッチャブル表示装置８００は、強化層９１６及び追加発光素子１４０Ａが配置された下部基板１１０上に接着層１１７をさらに含むことができる。接着層１１７についての構成は、図２及び図３に示されたストレッチャブル表示装置１００と実質的に同一であり、重複した説明は省略する。
【０１５８】
図１１ａ及び図１１ｂは、図８に示されたストレッチャブル表示装置８００のＩＩ領域を拡大した平面図である。図１１ａを参照すると、強化層９１６は、複数の追加サブ画素ＳＰＸＡと重畳して配置され得る。また、強化層９１６は、追加画素ＳＰＡの周辺部を囲むように配置され得る。従って、追加発光素子１４０Ａは、下部基板１１０としっかり固定され得る。図１１ｂを参照すると、強化層９１６は、追加画素ＰＸＡ領域で複数個の孤立した形態に配置され得る。即ち、強化層９１６は、それぞれの追加サブ画素ＳＰＸＡと重畳するか、または追加サブ画素ＳＰＸＡそれぞれを囲むように配置され得る。従って、追加サブ画素ＳＰＸＡそれぞれに配置された追加発光素子１４０Ａは、下部基板１１０としっかり結束されると同時に、第３領域Ａ３がより柔軟に伸びるようにすることができる。
【０１５９】
図１２ａ及び図１２ｂは、本発明の第３の実施例に係るストレッチャブル表示装置の追加サブ画素についての概略的な断面図であって、図８に示されたストレッチャブル表示装置８００のＩ−Ｉ’領域を切断した追加サブ画素ＳＰＸＡの断面図である。図１２ａ及び図１２ｂのストレッチャブル表示装置８００は、図１乃至図３に示されたストレッチャブル表示装置１００と比較して強化層９１６をさらに含み、圧電パターンＰＰ’、ＰＰ’’の形態が異なるということを除けば実質的に同一であるので、重複した説明は省略する。
【０１６０】
図１２ａを参照すると、圧電パターンＰＰ’は、強化層９１６と重畳された領域と、重畳されていない領域を含むように形成され得る。即ち、圧電パターンＰＰ’は、強化層９１６と重畳されることで下部基板１１０が延伸する程度が弱くなり、相対的に外圧によるストレスを少なく受ける領域と、強化層８１６と重畳されないことで下部基板１１０がよりよく延伸し、外圧によるストレスを多く受ける領域のいずれにも形成され得る。従って、第３領域Ａ３が拡張されても、圧電パターンＰＰ’は追加発光素子１４０Ａと電気的な結束をしっかり維持しながら、外圧によるストレスを均一に受けて特定電圧に収まる時間が短縮され得る。
【０１６１】
圧電パターンＰＰ’’は、複数個の凹凸部を含むことができる。図１２ｂに示された圧電パターンＰＰ’’は、図１２ａに示された圧電パターンＰＰ’と比較して下部基板１１０と接触する面が増加する。そして、下部基板１１０と接触する面が増加するほど、圧電パターンＰＰ’’は、外圧によるストレスをさらに多く伝達を受けるようになる。一方、圧電パターンＰＰ’’に含まれた複数個の凹凸部は、強化層９１６と重畳していない領域に主に分布され得る。これによって、圧電パターンＰＰ’’は、下部基板１１０の延伸時、ストレスによる影響をさらに大きく受け得る。凹凸部は、平らな圧電パターンＰＰ’’ボディ体から複数個の突出部を含む形態に形成され得る。凹凸部の一部の領域は強化層と重畳し、残りの一部の領域は強化層と重畳されなくてよい。しかし、これに制限するものではなく、凹凸部は、強化層と重畳されない領域にのみ形成されてもよい。
【０１６２】
図１２ｂは、圧電パターンＰＰ’’が下面から突出した複数個の凹凸構造を持つ形態を有するものと示されたが、必ずしもこれに限定するものではない。例えば、圧電パターンは、平面断面が多角形であるか、または平面方向に突出した模様であってよい。また、平面方向に突出した領域は、垂直方向に突出した複数個の凹凸部をさらに含むことができる。このように、下部基板１１０と接触する面積が増加した圧電パターンは、外圧によるストレスをさらに効率的に伝達を受けるようになり、これによって特定電圧に収まる時間が短縮され得る。また、圧電パターンは、外圧によるストレスをさらに多く印加を受けるように第３領域Ａ３が延伸する方向と垂直な方向に長く延びた部分を含む模様であってもよい。本発明の実施態様は、下記のように記載することもできる。
【０１６３】
本発明の態様によれば、ストレッチャブル表示装置は、複数のサブ画素が定義され、互いに離隔された複数の第１領域、複数の第１領域のうち互いに隣り合う第１領域を連結する複数の連結配線が配置された複数の第２領域、及び複数の第１領域と複数の第２領域を除く領域である複数の第３領域を含む下部基板と、複数の第３領域それぞれに配置された複数の追加サブ画素と、複数の追加サブ画素それぞれと電気的に連結された複数の圧電パターンとを含む。
【０１６４】
複数の第１領域に配置され、複数のサブ画素が定義された複数のアイランド基板と、複数のアイランド基板上で複数のサブ画素に配置された複数の発光素子と、複数の追加サブ画素に配置された複数の追加発光素子とをさらに含み、複数の発光素子は、発光層と、発光層と電気的に連結された第１電極と、発光層と電気的に連結され、第１電極と離隔された第２電極とを含み、複数の追加発光素子それぞれは、追加発光層と、追加発光層と電気的に連結された第１追加電極と、追加発光層と電気的に連結され、第１追加電極と離隔された第２追加電極とを含み、複数の圧電パターンは、複数の追加発光素子の第２追加電極と電気的に連結され得る。
【０１６５】
複数の発光素子のうち第１発光素子の第１電極と、複数の追加発光素子のうち第１追加発光素子の第１追加電極は、同一の電圧が印加されるように構成され得る。
【０１６６】
複数のアイランド基板のうち第１発光素子が配置されたアイランド基板に配置され、第１発光素子の第１電極及び第１追加発光素子の第１追加電極に同一電圧を印加する第１トランジスタをさらに含むことができる。
【０１６７】
複数の発光素子と複数の追加発光素子は、独立して駆動されるように構成され得る。
【０１６８】
複数の発光素子のうち第１発光素子の第１電極に連結され、複数のアイランド基板のうち第１発光素子が配置されたアイランド基板に配置された第１トランジスタと、及び複数の追加発光素子のうち第１追加発光素子の第１追加電極に連結され、第１トランジスタと同一のアイランド基板に配置された第２トランジスタとをさらに含むことができる。
【０１６９】
複数の追加発光素子それぞれの第１追加電極と電気的に連結される複数の追加連結配線と、複数の追加連結配線と下部基板との間に配置され、複数のアイランド基板と一体になされる複数の追加連結基板とをさらに含むことができる。
【０１７０】
複数の追加連結基板に隣接するように配置され、複数の圧電パターンと複数の追加発光素子の第２追加電極を電気的に連結する複数の追加接続パターンをさらに含むことができる。
【０１７１】
複数の追加連結配線と複数の追加連結基板との間に配置された追加絶縁層をさらに含むことができる。
【０１７２】
複数の追加サブ画素それぞれは、複数の連結配線の延長方向に対して傾斜するように配置され得る。
【０１７３】
下部基板は、複数の第３領域に配置された溝をさらに含み、複数の圧電パターンは、溝内に配置され得る。
【０１７４】
本発明の他の態様によれば、ストレッチャブル表示装置は、複数の発光素子が配置され、互いに離隔された複数の剛性基板、複数の剛性基板のうち互いに隣り合う剛性基板に配置されたパッドを電気的に連結する複数の連結配線、複数の剛性基板及び複数の連結配線の下に配置された下部基板、下部基板上で複数の剛性基板及び複数の連結配線と離隔されるように配置された複数の追加発光素子、及び複数の追加発光素子と電気的に連結され、下部基板の延伸により第１電圧を発生する複数の圧電パターンを含み、下部基板の延伸時に発生する格子感を最小化するように、下部基板の延伸時、複数の圧電パターンからの第１電圧により複数の追加発光素子から光が発光される。
【０１７５】
下部基板の延伸により複数の圧電パターンに外力が加えられる場合、複数の圧電パターンから複数の追加発光素子に第１電圧が印加され、複数の圧電パターンに加えられる外力が除去される場合、複数の圧電パターンは、電気的にフローティング（ｆｌｏａｔｉｎｇ）され得る。
【０１７６】
複数の追加発光素子は、複数の追加発光層、複数の追加発光層それぞれと電気的に連結された複数の第１追加電極、及び複数の追加発光層それぞれと電気的に連結され、複数の第１追加電極それぞれと離隔された複数の第２追加電極を含み、複数の第２追加電極それぞれは、複数の圧電パターンそれぞれと電気的に連結され得る。
【０１７７】
複数の剛性基板上に配置され、複数の発光素子それぞれと電気的に連結された複数の第１トランジスタ、及び複数の第１トランジスタと複数の追加発光素子の複数の第１追加電極を電気的に連結する複数の追加連結配線をさらに含むことができる。
【０１７８】
複数の剛性基板上に配置され、複数の発光素子それぞれと電気的に連結された複数の第１トランジスタ、複数の剛性基板上に配置された複数の第２トランジスタ、及び複数の第２トランジスタと複数の追加発光素子の複数の第１追加電極を電気的に連結する複数の追加連結配線をさらに含むことができる。
【０１７９】
複数の追加連結配線は、複数の連結配線に対して傾斜を有するように配置され得る。
【０１８０】
複数の圧電パターンの下面は、下部基板の下面と下部基板の上面との間に配置され得る。
【０１８１】
以上、添付の図面を参照して、本発明の実施例をさらに詳細に説明したが、本発明は、必ずしもこのような実施例に限定されるものではなく、本発明の技術思想を外れない範囲内で多様に変形実施され得る。従って、本発明に開示された実施例は、本発明の技術思想を限定するためのものではなく、説明するためのものであり、このような実施例によって本発明の技術思想の範囲が限定されるものではない。それゆえ、以上において記述した実施例は、全ての面で例示的なものであり、限定的ではないものと理解すべきである。本発明の保護範囲は、下記の請求の範囲によって解釈されるべきであり、それと同等な範囲内にある全ての技術思想は、本発明の権利範囲に含まれるものと解釈されるべきである。
【図１】
2020106832.tif 000003
【図２】
2020106832.tif 000004
【図３】
2020106832.tif 000005
【図４】
2020106832.tif 000006
【図５】
2020106832.tif 000007
【図６】
2020106832.tif 000008
【図７】
2020106832.tif 000009
【図８】
2020106832.tif 000010
【図９】
2020106832.tif 000011
【図１０ａ】
2020106832.tif 000012
【図１０ｂ】
2020106832.tif 000013
【図１１ａ】
2020106832.tif 000014
【図１１ｂ】
2020106832.tif 000015
【図１２ａ】
2020106832.tif 000016
【図１２ｂ】
2020106832.tif 000017